(57)【要約】電子メールに含まれるテキスト情報を第２情報端末（４０）に通知するテキスト情報通知部（２１）と、電子メールに関する音声情報を保存しうる音声情報保存部（２３）と、電子メールと電子メールに関係する音声情報との対応関係を管理する管理部（１９）とをそなえて構成することにより、送信された電子メールに対する返答を音声情報として入力して返答の入力を行なうための手間を軽減できるとともに、電子メールの送信先が、電子メールに対する返答として受信した音声情報をその電子メールに関連付けて管理することができ、又、音声情報に関する情報が付加された電子メールについて、その音声情報をスムーズに取得することができる。
2003039123.tif 000002
【特許請求の範囲】
【請求項１】
音声情報とテキスト情報とを送受信する第１情報端末（７０）と、音声情報とテキスト情報とをそれぞれ異なる方式で送受信する第２情報端末（４０）と、該第１情報端末（７０）および該第２情報端末（４０）と通信可能に接続され、該第１情報端末（７０）と該第２情報端末（４０）との間で送受信される、少なくともテキスト情報を含む電子メールを管理する管理装置（１０ａ，１０ｂ，１０ｃ，１０ｄ，１０ｅ，１０ｆ，１０ｇ，１０ｈ，１０ｉ，１０ｊ，１０ｋ，１０ｌ，１０ｍ，１０ｎ）とをそなえる電子メールシステムであって、
該管理装置（１０ａ，１０ｂ，１０ｃ，１０ｄ，１０ｅ，１０ｆ，１０ｇ，１０ｈ，１０ｉ，１０ｊ，１０ｋ，１０ｌ，１０ｍ，１０ｎ）が、
当該電子メールに含まれるテキスト情報を該第２情報端末（４０）に通知するテキスト情報通知部（２１）と、
前記電子メールに関する音声情報を保存しうる音声情報保存部（２３）と、
該電子メールと該電子メールに関係する音声情報との対応関係を管理する管理部（１９）とをそなえることを特徴とする、電子メールシステム。
【請求項２】
該管理装置（１０ａ，１０ｂ，１０ｃ，１０ｄ，１０ｅ，１０ｆ，１０ｇ，１０ｈ，１０ｉ，１０ｊ，１０ｋ，１０ｌ，１０ｍ，１０ｎ）が、
該第１情報端末（７０）から該第２情報端末（４０）へ送信される電子メールに関係する音声情報を取り扱うための電話番号を設定する電話番号設定部（１８）と、
該電話番号設定部（１８）によって設定された該電話番号を該第２情報端末（４０）に対して通知する電話番号通知部（２１）と、
該電子メールと該電話番号と該電子メールに関係する音声情報との対応関係を管理する管理部（１９）とをそなえることを特徴とする、請求の範囲１記載の電子メールシステム。
【請求項３】
該電話番号設定部（１８）によって設定された該電話番号に電話をかけるために用いた該第２情報端末（４０）の電話番号を取得する発信者番号取得部（２５）と、
該電話番号設定部（１８）によって設定された該電話番号と、該発信者番号取得部（２５）によって取得された該電話番号との組み合わせが、予め設定された組み合わせと一致するか否かを判断する電話番号判断部（２６）と、
該電話番号判断部（２６）により、該電話番号設定部（１８）によって設定された該電話番号と、該発信者番号取得部（２５）によって取得された該電話番号との組み合わせが、予め設定された組み合わせと一致すると判断された場合に、当該電子メールを該第２情報端末（４０）から返答を行なう対象として選択する選択部（２７）とをそなえることを特徴とする、請求の範囲第２項記載の電子メールシステム。
【請求項４】
該第２情報端末（４０）が、該電話番号により指定される音声回線を通して、当該電子メールに対する返答を音声情報として入力するための返答音声入力部（４１）をそなえ、
該管理装置（１０ａ，１０ｂ，１０ｃ，１０ｄ，１０ｉ，１０ｋ，１０ｌ）において、
該音声情報保存部（２３）が、該返答音声入力部（４１）から入力された音声情報を当該電子メールに関係する音声情報として保存し、
該管理部（１９）により管理される前記対応関係に基づいて、該第２情報端末（４０）から音声情報による返答があった旨を応答情報として該第１情報端末（７０）に通知する応答情報通知部（２１）をそなえることを特徴とする、請求の範囲第１項〜第３項のいずれか１項に記載の電子メールシステム。
【請求項５】
該応答情報がリプライ電子メールとして構成されることを特徴とする、請求の範囲第４項記載の電子メールシステム。
【請求項６】
該リプライ電子メールに該音声情報保存部（２３）に保存された該第２情報端末（４０）からの音声情報が添付されていることを特徴とする、請求の範囲第５項記載の電子メールシステム。
【請求項７】
該リプライ電子メールに、該音声情報保存部（２３）における該音声情報の保存場所にアクセスするためのポインタが含まれていることを特徴とする、請求の範囲第５項記載の電子メールシステム。
【請求項８】
該応答情報がインターネット上に配置されるウェブデータとして構成されることを特徴とする、請求の範囲第４項記載の電子メールシステム。
【請求項９】
該管理装置（１０ａ，１０ｂ，１０ｃ，１０ｄ，１０ｉ，１０ｋ，１０ｌ）において、
該テキスト情報通知部（２１）が、該第２情報端末（４０）に対して通知されるべき該テキスト情報を含む通知電子メールを作成し、
該電話番号設定部（１８）が、該第２情報端末（４０）によって音声入力を行なうための音声入力用電話番号を該電話番号として設定し、
該電話番号通知部（２１）が、該テキスト情報通知部（２１）によって作成された該通知電子メールに、該電話番号設定部（１８）によって設定された該音声入力用電話番号に関する情報を挿入することを特徴とする、請求の範囲第４項〜第８項のいずれか１項に記載の電子メールシステム。
【請求項１０】
該管理装置（１０ａ，１０ｂ，１０ｃ，１０ｄ，１０ｉ，１０ｋ，１０ｌ）において、
該テキスト情報通知部（２１）が、通信ネットワークを介してアクセスしてきた該第２情報端末（４０）が閲覧可能であって、少なくとも該第１情報端末（７０）からの該テキスト情報を含む通知ウェブデータを作成し、
該電話番号設定部（１８）が、該第２情報端末（４０）によって音声入力を行なうための音声入力用電話番号を該電話番号として設定し、
該電話番号通知部（２１）が、該テキスト情報通知部（２１）によって作成された該通知ウェブデータに、該電話番号設定部（１８）によって設定された該音声入力用電話番号に関する情報を挿入することを特徴とする、請求の範囲第４項〜第８項のいずれか１項に記載の電子メールシステム。
【請求項１１】
該通知ウェブデータに対して該第２情報端末（４０）によるアクセスがあったか否かを判断するアクセス判断部（２８）をそなえ、
該アクセス判断部（２８）により該アクセスがあったと判断された場合に、該電話番号設定部（１８）が該音声入力用電話番号を設定することを特徴とする、請求の範囲第１０項記載の電子メールシステム。
【請求項１２】
該音声入力用電話番号に関する情報が、該音声入力用電話番号そのものであることを特徴とする、請求の範囲第９項〜第１１項のいずれか１項に記載の電子メールシステム。
【請求項１３】
該音声入力用電話番号に関する情報が、該音声入力用電話番号を示すウェブページのアドレスもしくは当該ウェブページにアクセスするためのポインタであることを特徴とする、請求の範囲第９項〜第１１項のいずれか１項に記載の電子メールシステム。
【請求項１４】
該管理装置（１０ａ，１０ｂ，１０ｃ，１０ｄ，１０ｉ，１０ｋ，１０ｌ）において、
該テキスト情報通知部（２１）が、通信ネットワークを介してアクセスしてきた該第２情報端末（４０）が閲覧可能であって、少なくとも該第１情報端末（７０）からの該テキスト情報を含む通知ウェブデータを作成し、
当該通知ウェブデータに対して該第２情報端末（４０）によるアクセスがあったか否かを判断するアクセス判断部（２８）をそなえ、
該アクセス判断部（２８）により該アクセスがあったと判断された場合に、該２情報端末に対して電話をかける電話発信部（２９）をそなえることを特徴とする、請求の範囲第１項記載の電子メールシステム。
【請求項１５】
該第２情報端末（４０）が、該電話番号により指定される音声回線を通して、当該電子メールに対する返答を音声情報として入力するための返答音声入力部（４１）をそなえ、
該管理装置（１０ａ，１０ｂ，１０ｃ，１０ｄ，１０ｉ，１０ｋ，１０ｌ）において、
該音声情報保存部（２３）が、該返答音声入力部（４１）から入力された音声情報を当該電子メールに関係する音声情報として保存し、
該管理部（１９）により管理される前記対応関係に基づいて、該第２情報端末（４０）から音声情報による返答があった旨を応答情報として該第１情報端末（７０）に通知する応答情報通知部（２１）をそなえることを特徴とする、請求の範囲第１４項記載の電子メールシステム。
【請求項１６】
該応答情報がリプライ電子メールとして構成されることを特徴とする、請求の範囲第１５項記載の電子メールシステム。
【請求項１７】
該リプライ電子メールに該音声情報保存部（２３）に保存された該第２情報端末（４０）からの音声情報が添付されていることを特徴とする、請求の範囲第１６項記載の電子メールシステム。
【請求項１８】
該リプライ電子メールに、該音声情報保存部（２３）における該音声情報の保存場所にアクセスするためのポインタが含まれていることを特徴とする、請求の範囲第１６項記載の電子メールシステム。
【請求項１９】
該応答情報がインターネット上に配置されるウェブデータとして構成されることを特徴とする、請求の範囲第１５項記載の電子メールシステム。
【請求項２０】
該第１情報端末（７０）から該第２情報端末（４０）へ送信される該電子メールに該音声情報に関する情報が付加されている場合、
該管理装置（１０ａ，１０ｂ，１０ｃ，１０ｄ，１０ｉ，１０ｋ，１０ｌ）が、
該電子メールに付加された前記音声情報に関する情報に基づいて該音声情報を取得して、該音声情報を該電子メールに関係する音声情報として該音声情報保存部（２３）に保存させる音声情報取得部（３０）と、
該音声情報保存部（２３）に保存された該音声情報を再生する音声情報再生部（３１）とをそなえるとともに、
該第２情報端末（４０）が、該電話番号を通して、該音声情報再生部（３１）によって再生された該音声情報を聞き出すための音声聞出部（４２）をそなえることを特徴とする、請求の範囲第１項記載の電子メールシステム。
【請求項２１】
該電話番号設定部（１８）によって設定された該電話番号に電話をかけるために用いた該第２情報端末（４０）の電話番号を取得する発信者番号取得部（２５）と、
該電話番号設定部（１８）によって設定された該電話番号と、該発信者番号取得部（２５）によって取得された該電話番号との組み合わせが、予め設定された組み合わせと一致するか否かを判断する電話番号判断部（２６）と、
該電話番号判断部（２６）により、該電話番号設定部（１８）によって設定された該電話番号と、該発信者番号取得部（２５）によって取得された該電話番号との組み合わせが、予め設定された組み合わせと一致すると判断された場合に、当該音声情報を該音声情報生部によって再生する対象として選択する選択部（２７）とをそなえることを特徴とする、請求の範囲第２０項記載の電子メールシステム。
【請求項２２】
該管理装置（１０ｅ，１０ｆ，１０ｇ，１０ｈ，１０ｊ，１０ｍ，１０ｎ）が、該管理部（１９）により管理される前記対応関係に基づいて、該第１情報端末（７０）から音声情報に関する情報が付加された電子メールが該第２情報端末（４０）に送信されている旨の再生情報を再生情報通知電子メールとして作成することを特徴とする、請求の範囲第２０項又は第２１項記載の電子メールシステム。
【請求項２３】
該再生情報通知電子メールに該電話番号設定部（１８）によって設定された該電話番号が含まれていることを特徴とする、請求の範囲第２２項記載の電子メールシステム。
【請求項２４】
該再生情報通知電子メールに、該音声再生用電話番号を示す情報にアクセスするためのポインタが含まれていることを特徴とする、請求の範囲第２２項記載の電子メールシステム。
【請求項２５】
該管理装置（１０ｅ，１０ｆ，１０ｇ，１０ｈ，１０ｊ，１０ｍ，１０ｎ）が、該管理部（１９）により管理される前記対応関係に基づいて、該第１情報端末（７０）から音声情報に関する情報が付加された電子メールが該第２情報端末（４０）に送信されている旨の再生情報をインターネット上に配置されるウェブデータとして作成することを特徴とする、請求の範囲第２１項記載の電子メールシステム。
【請求項２６】
該管理装置（１０ｅ，１０ｆ，１０ｇ，１０ｈ，１０ｊ，１０ｍ，１０ｎ）において、
該テキスト情報通知部（２１）が、該第２情報端末（４０）に対して通知されるべき該テキスト情報を含む通知電子メールを作成し、
該電話番号設定部（１８）が、該第２情報端末（４０）によって音声再生を行なうための音声再生用電話番号を該電話番号として設定し、
該電話番号通知部（２１）が、該メール情報通知部によって作成された該通知電子メールに、該電話番号設定部（１８）によって設定された該音声再生用電話番号に関する情報を挿入することを特徴とする、請求の範囲第２１項〜第２５項のいずれか１項に記載の電子メールシステム。
【請求項２７】
該管理装置（１０ｅ，１０ｆ，１０ｇ，１０ｈ，１０ｊ，１０ｍ，１０ｎ）において、
該テキスト情報通知部（２１）が、通信ネットワークを介してアクセスしてきた該第２情報端末（４０）が閲覧可能であって、少なくとも該第１情報端末（７０）からの該テキスト情報を含む通知ウェブデータを作成し、
該電話番号設定部（１８）が、該第２情報端末（４０）によって音声再生を行なうための音声再生用電話番号を該電話番号として設定し、
該電話番号通知部（２１）が、該テキスト情報通知部（２１）によって作成された該通知ウェブデータに、該電話番号設定部（１８）によって設定された該音声再生用電話番号に関する情報を挿入することを特徴とする、請求の範囲第２１項〜第２５項のいずれか１項に記載の電子メールシステム。
【請求項２８】
該通知ウェブデータに対して該第２情報端末（４０）によるアクセスがあったか否かを判断するアクセス判断部（２８）をそなえ、
該アクセス判断部（２８）により該アクセスがあったと判断された場合に、該電話番号設定部（１８）が該音声再生用電話番号を設定し、
該音声情報再生部（３１）が、該音声再生用電話番号に音声通話により接続された該第２情報端末（４０）に対して該音声情報を再生することを特徴とする、請求の範囲２７項記載の電子メールシステム。
【請求項２９】
該音声再生用電話番号に関する情報が、該音声再生用電話番号そのものであることを特徴とする、請求の範囲第２６項〜第２８項のいずれか１項に記載の電子メールシステム。
【請求項３０】
該音声再生用電話番号に関する情報が、該音声入力用電話番号を示すウェブページのアドレスもしくは当該ウェブページにアクセスするためのポインタであることを特徴とする、請求の範囲第２６項〜第２８項のいずれか１項に記載の電子メールシステム。
【請求項３１】
該第１情報端末（７０）から該第２情報端末（４０）へ送信される該電子メールに該音声情報に関する情報が付加されている場合、
該管理装置（１０ｅ，１０ｆ，１０ｇ，１０ｈ，１０ｊ，１０ｍ，１０ｎ）が、
該電子メールに付加された前記音声情報に関する情報に基づいて該音声情報を取得して、該音声情報を該電子メールに関係する音声情報として該音声情報保存部（２３）に保存させる音声情報取得部（３０）と、
該音声情報保存部（２３）に保存された該音声情報を再生する音声情報再生部（３１）とをそなえ、
該第２情報端末（４０）が、該電話発信部（２９）からかけられた電話によって確立された音声回線を通して、該音声情報再生部（３１）によって再生された該音声情報を聞出すための音声聞出部（４２）をそなえることを特徴とする、請求の範囲第１５項記載の電子メールシステム。
【請求項３２】
該管理装置（１０ｅ，１０ｆ，１０ｇ，１０ｈ，１０ｊ，１０ｍ，１０ｎ）が、該管理部（１９）により管理される前記対応関係に基づいて、該第１情報端末（７０）から音声情報に関する情報が付加された電子メールが該第２情報端末（４０）に送信されている旨の再生情報を再生情報通知電子メールとして作成することを特徴とする、請求の範囲第３１項記載の電子メールシステム。
【請求項３３】
該再生情報通知電子メールに、該通知ウェブデータにアクセスするためのポインタが含まれていることを特徴とする、請求の範囲第３２項記載の電子メールシステム。
【請求項３４】
該管理装置（１０ｅ，１０ｆ，１０ｇ，１０ｈ，１０ｊ，１０ｍ，１０ｎ）が、該管理部（１９）により管理される前記対応関係に基づいて、該第１情報端末（７０）から音声情報に関する情報が付加された電子メールが該第２情報端末（４０）に送信されている旨の再生情報をインターネット上に配置される再生情報通知ウェブデータとして作成することを特徴とする、請求の範囲第３１項記載の電子メールシステム。
【請求項３５】
該電子メールもしくは当該電子メールに関係する該音声情報が複数ある場合において、該電子メールもしくは当該電子メールに関係する該音声情報に対して、当該電子メールもしくは当該電子メールに関係する該音声情報を特定するための識別情報を設定する識別情報設定部（３２）をそなえるとともに、該管理部（１９）が、該電子メールと該電子メールに関係する該音声情報と該識別情報設定部（３２）によって設定された該識別情報との該対応関係を管理することを特徴とする、請求の範囲第１項〜第３４項のいずれか１項に記載の電子メールシステム。
【請求項３６】
該識別情報を入力して該電子メールもしくは当該電子メールに関係する該音声情報を特定する識別情報入力部（４３）をそなえることを特徴とする、請求の範囲第３５項記載の電子メールシステム。
【請求項３７】
該第２情報端末（４０）の利用者に対して該音声によるガイダンスを行なう音声ガイダンス提供部（２４）をそなえることを特徴とする、請求の範囲第１項〜第３６項のいずれか１項に記載の電子メールシステム。
【請求項３８】
該第１情報端末（７０）もしくは該第２情報端末（４０）の利用者に対して
ガイダンスを示すウェブページを提供しうるウェブガイダンス提供部（１３）をそなえることを特徴とする、請求の範囲第１項〜第３７項のいずれか１項に記載の電子メールシステム。
【請求項３９】
音声情報とテキスト情報とを送受信する第１情報端末（７０）と、音声情報とテキスト情報とをそれぞれ異なる方式で送受信する第２情報端末（４０）と、該第１情報端末（７０）および該第２情報端末（４０）と通信可能に接続され、該第１情報端末（７０）と該第２情報端末（４０）との間において、少なくともテキスト情報を含む電子メールを送信する電子メール送信方法であって、
当該電子メールに含まれるテキスト情報を該第２情報端末（４０）に通知する通知ステップと、
前記電子メールに関する音声情報を保存する保存ステップと、
該電子メールと該電子メールに関係する音声情報との対応関係を管理する管理ステップとをそなえることを特徴とする、電子メール送信方法。
【請求項４０】
音声情報とテキスト情報とを送受信する第１情報端末（７０）と、音声情報とテキスト情報とをそれぞれ異なる方式で送受信する第２情報端末（４０）と、該第１情報端末（７０）および該第２情報端末（４０）と通信可能に接続され、該第１情報端末（７０）と該第２情報端末（４０）との間で送受信される、少なくともテキスト情報を含む電子メールを管理する情報処理装置であって、
当該電子メールに含まれるテキスト情報を該第２情報端末（４０）に通知するテキスト情報通知部（２１）と、
前記電子メールに関する音声情報を保存しうる音声情報保存部（２３）と、
該電子メールと該電子メールに関係する音声情報との対応関係を管理する管理部（１９）とをそなえることを特徴とする、情報処理装置。
【請求項４１】
音声情報とテキスト情報とを送受信する第１情報端末（７０）と、音声情報とテキスト情報とをそれぞれ異なる方式で送受信する第２情報端末（４０）と、該第１情報端末（７０）および該第２情報端末（４０）と通信可能に接続され、該第１情報端末（７０）と該第２情報端末（４０）との間で送受信される、少なくともテキスト情報を含む電子メールを管理するための機能をコンピュータに実行させるための電子メール管理プログラムであって、
当該電子メールに含まれるテキスト情報を該第２情報端末（４０）に通知するテキスト情報通知部（２１）と、
前記電子メールに関する音声情報を保存しうる音声情報保存部（２３）と、
該電子メールと該電子メールに関係する音声情報との対応関係を管理する管理部（１９）として、該コンピュータを機能させることを特徴とする、電子メール管理プログラム。
【請求項４２】
音声情報とテキスト情報とを送受信する第１情報端末（７０）と、音声情報とテキスト情報とをそれぞれ異なる方式で送受信する第２情報端末（４０）と、該第１情報端末（７０）および該第２情報端末（４０）と通信可能に接続され、該第１情報端末（７０）と該第２情報端末（４０）との間で送受信される、少なくともテキスト情報を含む電子メールを管理するための機能をコンピュータに実行させるための電子メール管理プログラムを記録したコンピュータ読取可能な記録媒体であって、
該電子メール管理プログラムが、
当該電子メールに含まれるテキスト情報を該第２情報端末（４０）に通知するテキスト情報通知部（２１）と、
前記電子メールに関する音声情報を保存しうる音声情報保存部（２３）と、
該電子メールと該電子メールに関係する音声情報との対応関係を管理する管理部（１９）として、該コンピュータを機能させることを特徴とする、電子メール管理プログラムを記録したコンピュータ読取可能な記録媒体。
【発明の詳細な説明】
技術分野
本発明は、例えば携帯電話を用いた電子メールシステムのように、音声情報と電子メール（テキスト情報）とをそれぞれ異なる方式で送受信するシステムにおいて、電子メールに関連付けられた音声情報の取り扱いに用いて好適な、電子メールシステム，電子メール送信方法，情報処理装置，電子メール管理プログラムおよび同プログラムを記録したコンピュータ読取可能な記録媒体に関する。
背景技術
近年においては、携帯電話の普及に伴って、携帯電話の機能も多様化しており、例えば、携帯電話を用いて電子メールの交換（送受信）を行なうことが可能となっている。電子メールの送受信を携帯電話を用いて行なうことにより、利用者は電子メールの送受信を手軽に行なうことができるので、例えば外回りの営業担当者等のように、外出する機会が多く、且つ、携帯電話の通話機能だけでは連絡を十分にとることが困難な人との間においても、確実に情報の伝達を行なうことができる。
すなわち、このような携帯電話を持った営業担当者宛に伝達したい事項がある場合には、その事項を記入した電子メールをそのメールアドレスに送信する。これにより、その営業担当者が、自らの都合に合わせて電子メールを受信することができるほか、送信された電子メールに対する返答を携帯電話機のダイヤルボタンを用いて入力してリプライメールとして返信することができるので、確実に情報の伝達を行なうことができ利便性が高い。
また、パーソナルコンピュータや電話，ファクス等の複数種類の情報機器を用いて、メッセージを伝達するための手法として、ユニファイドメッセージが知られている。このユニファイドメッセージは、ＣＴＩ（Ｃｏｍｐｕｔｅｒ  Ｔｅｃｈｎｏｌｏｇｙ  Ｉｎｔｅｇｒａｔｉｏｎ）のアプリケーションの一つで、電話，ファクシミリ，電子メール等の各種の通信サービス機能をＣＴＩサーバ上で連携させることにより、例えば、電子メールとして送信された文字情報を音声に変換して電話から聞き出せるようにしたり、電子メールとして送信された内容をファクシミリとして受け取ったり、又、これとは逆にファクシミリによって送信された情報を電子メールとして受け取ったりすることができる等、利用者宛に送信されたメッセージを、利用者にとって一番都合の良い情報機器で取り扱うことができる状態に変換して利用者に提供するものである。
なお、このようなユニファイドメッセージに関連する製品の中には、電話からメッセージを入力するに際して、予め設定された複数の定型文の中から特定の定型文を利用者に選択させることにより、利用者による電話機のダイヤルキーから文字入力を行なう手間を軽減させるものや、受信した電子メールに対して音声で返信（リプライ）できるものもある。
【発明が解決しようとする課題】
しかしながら、上述の如き従来の携帯電話を用いた電子メールシステムにおいては、携帯電話機の小さなキーボード（ダイヤルボタン）から文字を入力し、長文のメールを作成することは非常に煩雑であるので、携帯電話でリプライメールを作成して送信することは煩雑であるという課題がある。
なお、受信した電子メールに対して、上述の如くメールの本文を構成するテキスト文章を入力してリプライメールとして送信する代わりに、携帯電話等を用いて電子メールの送信元に、直接電話することにより、音声通話で返答を行なうこともできる。
しかし、携帯電話機等で電子メールの送信元に電話をかけて、その電子メールに対する返答を行なう場合には、電話をかけるための電話番号を確認したり、携帯電話機等においてその電話番号を入力したりする手間が煩雑であるという課題がある。
また、たとえこれらの電話番号の確認や入力の処理を自動化して不要にしたとしても、返答を行なう者は、その返答を行なう時点において、返答を受ける者（電子メールの送信元）が電話を受けることができる状態にあるかどうかが分からない。又、運良く、その返答を受ける者が電話を受けることができる場合であっても、返答を受けた側（電子メールの発信元）においては、電話によって行なわれた返答の内容と自分が送信した電子メールとを、明確に対応づけて管理することは困難であるという課題もある。
一方、ユニファイドメッセージにおいて、複数の定型文の中から特定の定型文を利用者に選択させることによりメッセージを送信する場合には、この発信することができる文章は、予め登録された定型文に限定されるという課題がある。又、受信した電子メールに対して音声でリプライを行なう場合には、一般にリプライ音声を、電子メールとは別に構成されたヴォイスメールシステムを用いて送信するようになっているので、リプライメールの受信者（電子メールの送信元）が、送信した電子メール（テキストデータ）と受信したリプライ（音声データ）とを、関連付けることが困難なので不便であるという課題もある。
また、従来の携帯電話システムは、通信が終了するまで回線を占有する方式である回線交換方式を採用しているので、データ通信と音声通信（音声通話）とを同時に行なうことができない。
具体的には、例えばモバイルバンキングの利用時、すなわち、データ通信を行なっている間は音声通信（音声通話）を行なうことができず、又、音声通話を行なっている間はデータ通信を行なうことができない。従って、従来の携帯電話システムにおいては、音声データが添付された電子メールを受信した場合に、受信した電子メールからスムーズに音声データの再生を行なうことができないという課題がある。
本発明は、このような課題に鑑み創案されたもので、音声情報の取り扱い手法に工夫を施すことにより、送信された電子メールに対する返答を音声情報として入力して返答の入力を行なうための手間を軽減できるとともに、電子メールの送信先が、電子メールに対する返答として受信した音声情報をその電子メールに関連付けて管理することができ、又、音声情報に関する情報が付加された電子メールについて、その音声情報をスムーズに取得することができるようにした、電子メールシステム，電子メール送信方法，情報処理装置，電子メール管理プログラムおよび同プログラムを記録したコンピュータ読取可能な記録媒体を提供することを目的とする。
発明の開示
上記の目的を達成するために、本発明の電子メールシステムは、音声情報とテキスト情報とを送受信する第１情報端末と、音声情報とテキスト情報とをそれぞれ異なる方式で送受信する第２情報端末と、第１情報端末および第２情報端末と通信可能に接続され、第１情報端末と第２情報端末との間で送受信される、少なくともテキスト情報を含む電子メールを管理する管理装置とをそなえ、管理装置が、電子メールに含まれるテキスト情報を第２情報端末に通知するテキスト情報通知部と、電子メールに関する音声情報を保存しうる音声情報保存部と、電子メールと電子メールに関係する音声情報との対応関係を管理する管理部とをそなえることを特徴としている。
なお、管理装置が、第１情報端末から第２情報端末へ送信される電子メールに関係する音声情報を取り扱うための電話番号を設定する電話番号設定部と、電話番号設定部によって設定された電話番号を第２情報端末に対して通知する電話番号通知部と、電子メールと電話番号と電子メールに関係する音声情報との対応関係を管理する管理部とをそなえてもよい。
また、電話番号設定部によって設定された電話番号に電話をかけるために用いた第２情報端末の電話番号を取得する発信者番号取得部と、電話番号設定部によって設定された電話番号と、発信者番号取得部によって取得された電話番号との組み合わせが、予め設定された組み合わせと一致するか否かを判断する電話番号判断部と、電話番号判断部により、電話番号設定部によって設定された電話番号と、発信者番号取得部によって取得された電話番号との組み合わせが、予め設定された組み合わせと一致すると判断された場合に、電子メールを第２情報端末から返答を行なう対象として選択する選択部とをそなえてもよい。
さらに、第２情報端末が、電話番号により指定される音声回線を通して、電子メールに対する返答を音声情報として入力するための返答音声入力部をそなえ、管理装置において、音声情報保存部が、返答音声入力部から入力された音声情報を電子メールに関係する音声情報として保存し、管理部により管理される対応関係に基づいて、第２情報端末から音声情報による返答があった旨を応答情報として第１情報端末に通知する応答情報通知部をそなえてもよい。
また、応答情報がリプライ電子メールとして構成されてもよく、このリプライ電子メールに音声情報保存部に保存された第２情報端末からの音声情報が添付されていてもよい。又、このリプライ電子メールに、音声情報保存部における音声情報の保存場所にアクセスするためのポインタが含まれていてもよい。
さらに、応答情報がインターネット上に配置されるウェブデータとして構成されてもよい。
また、管理装置において、テキスト情報通知部が、第２情報端末に対して通知されるべきテキスト情報を含む通知電子メールを作成し、電話番号設定部が、第２情報端末によって音声入力を行なうための音声入力用電話番号を電話番号として設定し、電話番号通知部が、テキスト情報通知部によって作成された通知電子メールに、電話番号設定部によって設定された音声入力用電話番号に関する情報を挿入してもよい。
さらに、管理装置において、テキスト情報通知部が、通信ネットワークを介してアクセスしてきた第２情報端末が閲覧可能であって、少なくとも第１情報端末からのテキスト情報を含む通知ウェブデータを作成し、電話番号設定部が、第２情報端末によって音声入力を行なうための音声入力用電話番号を電話番号として設定し、電話番号通知部が、テキスト情報通知部によって作成された通知ウェブデータに、電話番号設定部によって設定された音声入力用電話番号に関する情報を挿入してもよい。
また、通知ウェブデータに対して第２情報端末によるアクセスがあったか否かを判断するアクセス判断部をそなえ、アクセス判断部によりアクセスがあったと判断された場合に、電話番号設定部が音声入力用電話番号を設定してもよい。
さらに、音声入力用電話番号に関する情報が、音声入力用電話番号そのものであってもよく、音声入力用電話番号に関する情報が、音声入力用電話番号を示すウェブページのアドレスもしくはこのウェブページにアクセスするためのポインタであってもよい。
さらに、管理装置において、テキスト情報通知部が、通信ネットワークを介してアクセスしてきた第２情報端末が閲覧可能であって、少なくとも第１情報端末からのテキスト情報を含む通知ウェブデータを作成し、この通知ウェブデータに対して第２情報端末によるアクセスがあったか否かを判断するアクセス判断部をそなえ、このアクセス判断部によりアクセスがあったと判断された場合に、２情報端末に対して電話をかける電話発信部をそなえてもよい。
また、第２情報端末が、電話番号により指定される音声回線を通して、電子メールに対する返答を音声情報として入力するための返答音声入力部をそなえ、管理装置において、音声情報保存部が、返答音声入力部から入力された音声情報をその電子メールに関係する音声情報として保存し、管理部により管理される対応関係に基づいて、第２情報端末から音声情報による返答があった旨を応答情報として第１情報端末に通知する応答情報通知部をそなえてもよい。
さらに、応答情報がリプライ電子メールとして構成されてもよく、このリプライ電子メールに音声情報保存部に保存された第２情報端末からの音声情報が添付されてもよい。又、このリプライ電子メールに、音声情報保存部における音声情報の保存場所にアクセスするためのポインタが含まれていてもよい。
また、応答情報がインターネット上に配置されるウェブデータとして構成されてもよい。
なお、第１情報端末から第２情報端末へ送信される電子メールに音声情報に関する情報が付加されている場合、管理装置が、電子メールに付加された音声情報に関する情報に基づいて音声情報を取得して、音声情報を電子メールに関係する音声情報として音声情報保存部に保存させる音声情報取得部と、音声情報保存部に保存された音声情報を再生する音声情報再生部とをそなえるとともに、第２情報端末が、電話番号を通して、音声情報再生部によって再生された音声情報を聞き出すための音声聞出部をそなえてもよい。
また、電話番号設定部によって設定された電話番号に電話をかけるために用いた第２情報端末の電話番号を取得する発信者番号取得部と、電話番号設定部によって設定された電話番号と、発信者番号取得部によって取得された電話番号との組み合わせが、予め設定された組み合わせと一致するか否かを判断する電話番号判断部と、この電話番号判断部により、電話番号設定部によって設定された電話番号と、発信者番号取得部によって取得された電話番号との組み合わせが、予め設定された組み合わせと一致すると判断された場合に、音声情報電子を音声情報生部によって再生する対象として選択する選択部とをそなえてもよい。
さらに、管理装置が、管理部により管理される対応関係に基づいて、第１情報端末から音声情報に関する情報が付加された電子メールが第２情報端末に送信されている旨の再生情報を再生情報通知電子メールとして作成してもよい。
また、この再生情報通知電子メールに電話番号設定部によって設定された電話番号が含まれていてもよく、又、この再生情報通知電子メールに、音声再生用電話番号を示す情報にアクセスするためのポインタが含まれていてもよい。
さらに、管理装置が、管理部により管理される対応関係に基づいて、第１情報端末から音声情報に関する情報が付加された電子メールが第２情報端末に送信されている旨の再生情報をインターネット上に配置されるウェブデータとして作成してもよい。
また、管理装置において、テキスト情報通知部が、第２情報端末に対して通知されるべきテキスト情報を含む通知電子メールを作成し、電話番号設定部が、第２情報端末によって音声再生を行なうための音声再生用電話番号を電話番号として設定し、電話番号通知部が、メール情報通知部によって作成された通知電子メールに、電話番号設定部によって設定された音声再生用電話番号に関する情報を挿入してもよい。
さらに、管理装置において、テキスト情報通知部が、通信ネットワークを介してアクセスしてきた第２情報端末が閲覧可能であって、少なくとも第１情報端末からのテキスト情報を含む通知ウェブデータを作成し、電話番号設定部が、第２情報端末によって音声再生を行なうための音声再生用電話番号を電話番号として設定し、電話番号通知部が、テキスト情報通知部によって作成された通知ウェブデータに、電話番号設定部によって設定された音声再生用電話番号に関する情報を挿入してもよい。
また、通知ウェブデータに対して第２情報端末によるアクセスがあったか否かを判断するアクセス判断部をそなえ、このアクセス判断部によりアクセスがあったと判断された場合に、電話番号設定部が音声再生用電話番号を設定し、音声情報再生部が、音声再生用電話番号に音声通話により接続された第２情報端末に対して音声情報を再生してもよい。
さらに、音声再生用電話番号に関する情報が、音声再生用電話番号そのものであってもよく、又、音声再生用電話番号に関する情報が、音声入力用電話番号を示すウェブページのアドレスもしくはそのウェブページにアクセスするためのポインタであってもよい。
また、第１情報端末から第２情報端末へ送信される電子メールに音声情報に関する情報が付加されている場合、管理装置が、電子メールに付加された音声情報に関する情報に基づいて音声情報を取得して、音声情報を電子メールに関係する音声情報として音声情報保存部に保存させる音声情報取得部と、音声情報保存部に保存された音声情報を再生する音声情報再生部とをそなえ、第２情報端末が、電話発信部からかけられた電話によって確立された音声回線を通して、音声情報再生部によって再生された音声情報を聞出すための音声聞出部をそなえてもよい。
さらに、管理装置が、管理部により管理される対応関係に基づいて、第１情報端末から音声情報に関する情報が付加された電子メールが第２情報端末に送信されている旨の再生情報を再生情報通知電子メールとして作成してもよい。又、この再生情報通知電子メールに、通知ウェブデータにアクセスするためのポインタが含まれていてもよい。
また、管理装置が、管理部により管理される対応関係に基づいて、第１情報端末から音声情報に関する情報が付加された電子メールが第２情報端末に送信されている旨の再生情報をインターネット上に配置される再生情報通知ウェブデータとして作成してもよい。
さらに、電子メールもしくはこの電子メールに関係する音声情報が複数ある場合において、電子メールもしくはこの電子メールに関係する音声情報に対して、電子メールもしくはこの電子メールに関係する音声情報を特定するための識別情報を設定する識別情報設定部をそなえるとともに、管理部が、電子メールと電子メールに関係する音声情報と識別情報設定部によって設定された識別情報との対応関係を管理してもよい。
また、識別情報を入力して電子メールもしくはこの電子メールに関係する音声情報を特定する識別情報入力部をそなえてもよい。
さらに、第２情報端末の利用者に対して音声によるガイダンスを行なう音声ガイダンス提供部をそなえてもよく、第１情報端末もしくは第２情報端末の利用者に対してガイダンスを示すウェブページを提供しうるウェブガイダンス提供部をそなえてもよい。
また、本発明の電子メール送信方法は、音声情報とテキスト情報とを送受信する第１情報端末と、音声情報とテキスト情報とをそれぞれ異なる方式で送受信する第２情報端末と、第１情報端末および第２情報端末と通信可能に接続され、第１情報端末と第２情報端末との間において、少なくともテキスト情報を含む電子メールを送信するものであって、この電子メールに含まれるテキスト情報を第２情報端末に通知する通知ステップと、電子メールに関する音声情報を保存する保存ステップと、電子メールと電子メールに関係する音声情報との対応関係を管理する管理ステップとをそなえることを特徴としている。
さらに、本発明の情報処理装置は、音声情報とテキスト情報とを送受信する第１情報端末と、音声情報とテキスト情報とをそれぞれ異なる方式で送受信する第２情報端末と、第１情報端末および第２情報端末と通信可能に接続され、第１情報端末と第２情報端末との間で送受信される、少なくともテキスト情報を含む電子メールを管理するものであって、この電子メールに含まれるテキスト情報を第２情報端末に通知するテキスト情報通知部と、電子メールに関する音声情報を保存しうる音声情報保存部と、電子メールとこの電子メールに関係する音声情報との対応関係を管理する管理部とをそなえることを特徴としている。
また、本発明の電子メール管理プログラムは、音声情報とテキスト情報とを送受信する第１情報端末と、音声情報とテキスト情報とをそれぞれ異なる方式で送受信する第２情報端末と、第１情報端末および第２情報端末と通信可能に接続され、第１情報端末と第２情報端末との間で送受信される、少なくともテキスト情報を含む電子メールを管理するための機能をコンピュータに実行させるためのものであって、この電子メールに含まれるテキスト情報を第２情報端末に通知するテキスト情報通知部と、電子メールに関する音声情報を保存しうる音声情報保存部と、電子メールとこの電子メールに関係する音声情報との対応関係を管理する管理部として、コンピュータを機能させることを特徴としている。
そして、本発明のコンピュータ読取可能な記録媒体は、上述した電子メール管理プログラムを記録したものである。
本発明の電子メールシステム，電子メール送信方法，情報処理装置，電子メール管理プログラムおよび同プログラムを記録したコンピュータ読取可能な記録媒体によれば、以下の効果ないし利点がある。
（１）電子メールに含まれるテキスト情報を第２情報端末に通知するとともに、電子メールに関する音声情報を保存し、電子メールと電子メールに関係する音声情報との対応関係を管理することにより、音声情報とテキスト情報とをそれぞれ異なる方式で送受信する第２情報端末においても、電子メールと音声情報とを容易に取り扱うことができる。
（２）第１情報端末から第２情報端末へ送信される電子メールに関係する音声情報を取り扱うための電話番号を設定することにより、第２情報端末で容易に音声情報を取り扱うことができる。
（３）電話番号設定部によって設定された電話番号に電話をかけるために用いた第２情報端末の電話番号を取得し、予め設定された電話番号と、取得された電話番号との組み合わせが、予め設定された組み合わせと一致するか否かを判断することにより、第２情報端末から返答を行なう対象として電子メールを容易に選択することができる。
（４）第２情報端末から音声情報による返答があった旨を応答情報として第１情報端末に通知することにより、第１情報端末において、音声情報による返答があった旨を知ることができる。
（５）応答情報がリプライ電子メールとして構成するとともに、このリプライ電子メールに第２情報端末からの音声情報を添付したり、音声情報の保存場所にアクセスするためのポインタを含んだりすることにより、第１情報端末において、音声情報を確実に受け取ることができ利便性が向上する。
（６）応答情報をインターネット上に配置されるウェブデータとして構成されることにより、応答情報を容易に取り扱うことができ、利便性が向上する。
（７）第２情報端末に対して通知されるべきテキスト情報を含む通知電子メールを作成するとともに、第２情報端末によって音声入力を行なうための音声入力用電話番号を電話番号として設定し、この音声入力用電話番号に関する情報を通知電子メールに挿入することにより、音声入力用電話番号を容易に通知することができ利便性が向上する。
（８）通信ネットワークを介してアクセスしてきた第２情報端末が閲覧可能であって、少なくとも第１情報端末からのテキスト情報を含む通知ウェブデータを作成するとともに、第２情報端末によって音声入力を行なうための音声入力用電話番号を電話番号として設定し、電話番号設定部によって設定された音声入力用電話番号に関する情報をこの通知ウェブデータに挿入することにより、音声入力用電話番号を容易に通知することができ利便性が向上する。
（９）第１情報端末から第２情報端末へ送信される電子メールに音声情報に関する情報が付加されている場合、電子メールに付加された音声情報に関する情報に基づいて音声情報を取得して、この音声情報を電子メールに関係する音声情報として保存させ、第２情報端末において、再生された音声情報を聞き出すことにより、第２情報端末において音声情報を聞き出すことができる。
（１０）予め設定された電話番号に電話をかけるために用いた第２情報端末の電話番号を取得し、予め設定された電話番号と取得された電話番号との組み合わせが、予め設定された組み合わせと一致する場合に、音声情報を再生する対象として選択することにより、再生する対象の音声情報を容易に選択することができる。
（１１）管理される対応関係に基づいて、第１情報端末から音声情報に関する情報が付加された電子メールが第２情報端末に送信されている旨の再生情報を再生情報通知電子メールとして作成することにより、再生情報を容易に通知することができ利便性が向上する。
（１２）再生情報通知電子メールに設定された音声再生用電話番号や、音声再生用電話番号を示す情報にアクセスするためのポインタを含むことにより、音声再生用電話番号を容易に通知することができ利便性が向上する。
（１３）第１情報端末から音声情報に関する情報が付加された電子メールが第２情報端末に送信されている旨の再生情報をインターネット上に配置されるウェブデータとして作成することにより、再生情報を容易に取り扱うことができ利便性が向上する。
（１４）第２情報端末に対して通知されるべきテキスト情報を含む通知電子メールを作成するとともに、第２情報端末によって音声再生を行なうための音声再生用電話番号を電話番号に関する情報を通知電子メールに挿入することにより、第２情報端末において音声再生用電話番号を確実に受け取ることができ利便性が向上する。
（１５）通信ネットワークを介してアクセスしてきた第２情報端末が閲覧可能であって、少なくとも第１情報端末からのテキスト情報を含む通知ウェブデータを作成するとともに、第２情報端末によって音声再生を行なうための音声再生用電話番号に関する情報を通知ウェブデータに挿入することにより、第２情報端末において音声再生用電話番号を確実に受け取ることができ利便性が向上する。
（１６）通知ウェブデータに対して第２情報端末によるアクセスがあったと判断された場合に音声再生用電話番号を設定し、音声再生用電話番号に音声通話により接続された第２情報端末に対して音声情報を再生することにより、第２情報端末において音声情報を確実に聞き出すことができる。
（１７）管理される対応関係に基づいて、第１情報端末から音声情報に関する情報が付加された電子メールが第２情報端末に送信されている旨の再生情報を再生情報通知電子メールとして作成することにより、再生情報を容易に通知することができ利便性が向上する。
（１８）再生情報通知電子メールに、通知ウェブデータにアクセスするためのポインタを含むことにより、通知ウェブデータに容易にアクセスすることができ利便性が向上する。
（１９）第１情報端末から音声情報に関する情報が付加された電子メールが第２情報端末に送信されている旨の再生情報をインターネット上に配置される再生情報通知ウェブデータとして作成することにより、再生情報を容易に通知することができ利便性が向上する。
（２０）電子メールもしくはこの電子メールに関係する音声情報が複数ある場合において、電子メールもしくはこの電子メールに関係する音声情報に対して識別情報を設定し、電子メールとこの電子メールに関係する音声情報と識別情報との対応関係を管理することにより、電子メールもしくは電子メールに関係する音声情報を容易に識別することができ利便性が向上する。
（２１）識別情報を入力して電子メールもしくは電子メールに関係する音声情報を特定することにより、電子メールもしくは音声情報を容易に識別することができ利便性が向上する。
（２２）第２情報端末の利用者に対して音声によるガイダンスを行なうことにより、第２情報端末の利用者の利便性が向上する。
（２３）第１情報端末もしくは第２情報端末の利用者に対してガイダンスを示すウェブページを提供することにより、第１情報端末もしくは第２情報端末の利用者の利便性が向上する。
発明を実施するための最良の形態
以下、図面を参照して本発明の実施の形態を説明する。
（Ａ）第１実施形態の説明
図１は本発明の第１実施形態としての電子メールシステムの構成を示すブロック図である。図１に示すように、本第１実施形態の電子メールシステム１ａは、ＰＣ（Ｐｅｒｓｏｎａｌ  Ｃｏｍｐｕｔｅｒ：第１情報端末）７０，携帯電話機（第２情報端末）４０および音声／メール連携装置（管理装置）１０をそなえて構成され、ＰＣ７０と携帯電話機４０との間において電子メールを送受信するものである。
以下、ＰＣ７０の利用者（送信元）から携帯電話機４０の利用者（送信先）に対して、テキスト情報によって構成された電子メール（オリジナルメール）を送信し、携帯電話機４０の利用者が、受信したオリジナルメールに対して携帯電話機４０の音声通話機能を用いて返信（リプライ）を行なう場合について説明する。
なお、厳密には、ＰＣ７０の利用者と携帯電話機４０の利用者との間で電子メールの送受信が行なわれるのであるが、以下、便宜上、ＰＣ７０と携帯電話機４０との間で電子メールの送受信を行なうと記載する場合もある。
ＰＣ７０は、音声／メール連携装置１０ａおよび携帯電話機４０と、インターネット等の通信ネットワーク５０を介して通信可能に接続されている。ＰＣ７０は、電子メールを作成し送受信するためのアプリケーションプログラム（メーラ）をそなえており、図示しないＣＰＵ（Ｃｅｎｔｒａｌ  ＰｒｏｃｅｓｓｉｎｇＵｎｉｔ）等がメーラを実行することにより、電子メールの作成や送受信等を行なうことができるようになっている。
また、このＰＣ７０においては、電子データと音声データとを通信ネットワーク５０を介して送受信するようになっている。
携帯電話機４０は、利用者が携帯可能であって、通話やデータ通信を行なうためのものである。この携帯電話機４０は、ＰＣ７０および音声／メール連携装置１０ａと通信ネットワーク５０を介して通信可能に接続されており、又、音声／メール連携装置１０ａと音声通信路６０を介しても通信可能に接続されている。
また、携帯電話機４０は、音声による通話機能とデータ通信機能とをそなえている。但し、この携帯電話機４０は、通信が終了するまで回線を占有する方式である回線交換方式を採用しており、利用者は、通話機能とデータ通信機能とを同時に使用することはできず、データ通信機能を利用するためには通話を終了させる必要があり、又、音声による通話を行なう場合にはデータ通信を終了させる必要がある。すなわち、利用客は、これらの通話（音声通話）機能とデータ通信機能とを必要に応じて切り換えて利用するようになっている。
そして、この携帯電話機４０においては、電子データを通信ネットワーク５０を介して送受信する一方で、音声データを音声通信路６０を介して送受信するようになっており、これらの電子データと音声データとを互いに異なる通信路を用いて取り扱うようになっている。
携帯電話機４０は、マイクロフォン（音声情報入力部）４１，スピーカ４２，ダイヤルボタン４３および表示部４４をそなえて構成されている。マイクロフォン４１は、利用者が音声通話を行なう際に音声を入力するためのものである。又、このマイクロフォン４１は、後述する如く、利用者が電子メールに対する返答を音声情報として入力するための返答音声入力部として機能するようになっている。
スピーカ４２は、利用者が音声通話を行なう際に音声を再生するためのものである。ダイヤルボタン４３は、利用客が音声通話を行なう際に通話先の電話番号を入力したり、データ通信を行なう際に、種々の入力を行なったりするためのものである。表示部４４は、送受信する電子メールの内容を表示したり、ダイヤルボタン４３によって入力した文字を表示するものである。
そして、利用者が、携帯電話機４０を用いて所定の電話番号に電話することより、音声通信路６０を介して音声／メール連携装置１０ａに音声通信で接続されるようになっている。
ここで、利用者が、携帯電話機４０を用いて音声／メール連携装置１０ａに接続して音声通信を行なう場合には、利用者は、マイクロフォン４１から音声を入力したり、ダイヤルボタン４３を操作して、例えば、自分を識別するための情報（パスワード等）の入力を行なったり、後述するガイダンスに従って種々の選択操作等を行なったりするようになっている。
なお、かかる音声通信時には、ダイヤルボタン４３により入力された操作内容は、ダイヤルボタン４３を構成する各ボタン（キー）に設定されたトーン（音：アナログ信号）により識別されるようになっている。
また、利用者は、携帯電話機４０を通信ネットワーク５０を介して音声／メール連携装置１０ａに接続してデータ通信を行なう場合にも、ダイヤルボタン４３を操作して、例えば、自分を識別するための情報の入力を行なったり、後述するガイダンスに従って種々の選択操作等を行なったりするようになっている。
なお、かかるデータ通信時には、ダイヤルボタン４３により入力された操作内容は、ダイヤルボタン４３を構成する各ボタン（キー）に設定されたデジタル信号により識別されるようになっている。
そして、利用者は、この携帯電話機４０を用いて音声／メール連携装置１０ａに接続し、ダイヤルボタン４３から文字入力することによって作成した電子メールを送信したり、ＰＣ７０等から送信された電子メールを受信したりすることができる。
また、携帯電話機４０においては、所定の電話番号をダイヤルボタン４３を押して入力することによって電話をかけることができるほか、受信した電子メールやウェブページ中に電話番号が挿入されている場合には、それらの電子メールやウェブページを表示部４４に表示させている状態（例えば図４参照）で電話番号を選択（クリック）することにより、その電話番号に電話をかける（発呼する）ことができるようになっている（ＰＨＯＮＥ  ＴＯ機能）。
さらに、利用者は、この携帯電話機４０を用いて電子メールの送受信を行なうための電子メールアドレスを有しており、これにより、利用者は携帯電話機４０を用いて電子メールの送受信を行なうことができるようになっている。
音声／メール連携装置１０ａは、ＰＣ７０と携帯電話機４０との間において電子メールを中継したり、携帯電話機４０との間で音声通話を行なうものであり、図１に示すように、メール送受信部１１，音声送受信部１４，ユーザ情報管理部１５，ユーザ情報ＤＢ１６，音声送受信判断部１７，電話番号管理部（電話番号設定部）１８，音声／メール対応管理部（管理部）１９，メール対応情報ＤＢ２０，メール加工部（テキスト情報通知部，電話番号通知部，応答情報通知部）２１，音声データ管理部２２，音声データＤＢ（音声情報保存部）２３，音声ガイド部２４，発信者番号取得部２５，電話番号判断部２６および選択部２７をそなえて構成されている。
音声／メール連携装置１０ａは、ＰＣ７０および携帯電話機４０と通信ネットワーク５０を介して通信可能に接続されるとともに、携帯電話機４０と音声通信路６０を介しても通信可能に接続されている。
図２および図３はともに本発明の第１実施形態としての電子メールシステム１ａの構成を模式的に示す図であって、図２は音声／メール連携装置１０ａを企業等のイントラネット内に設置した例を示す図、図３は音声／メール連携装置１０ａを移動キャリア内に設置した例を示す図である。
音声／メール連携装置１０ａは、図２に示すように、例えば企業等のイントラネット内に配設してもよく、又、図３に示すように、例えば携帯電話のサービスを提供する移動キャリア内に配設してもよい。
メール送受信部１１は、電子メールの受信処理および送信処理並びにメールボックス１２の管理を行なうものである。すなわち、この音声／メール連携装置１０ａは、このメール送受信部１１によりメールサーバとしての機能をそなえている。
ＰＣ７０から携帯電話機４０に対して電子メール（以下、オリジナルメールという場合がある）が送信される際においては、メール送受信部１１は、オリジナルメールの宛先アドレスに基づいて、ユーザ情報管理部１５（後述）にその送信先が、オリジナルメールの転送を希望しているかいないかを確認するようになっている。
そして、メール送受信部１１は、ユーザ情報管理部１５による確認の結果、送信先がオリジナルメールの転送を希望していない場合には、そのままメールボックス１２にそのオリジナルメールをそのまま保存するようになっている。又、送信先がオリジナルメールの転送を希望している場合には、後述する如く、オリジナルメールを携帯電話機４０のメールアドレスへ転送するための処理を行なうようになっている。
音声送受信部１４は、携帯電話機４０と音声／メール連携装置１０ａとの間において通話呼を確立し、音声データの送受信を行なうものである。なお、本第１実施形態においては、携帯電話機４０から特定の電話番号に電話をかける（発呼する）ことによって呼の確立を行なうようになっている。
ユーザ情報管理部１５は、ユーザ情報ＤＢ（Ｄａｔａ  Ｂａｓｅ）１６に保存されているユーザ情報を管理するものである。このユーザ情報ＤＢ１６は、具体的には、本電子メールシステム１ａの利用者に関して、ユーザＩＤ，メールアドレス，携帯電話番号，携帯電話メールアドレス，「携帯電話メールへの転送が必要か否か」および「オリジナルメールに対する音声返答が必要か否か」等の情報を、ユーザ情報として互いに関連付けて保存するようになっており、ユーザ情報管理部１５は、これらの情報の登録や管理を行なったり、いずれかの項目の情報を検索キーとして、ユーザ情報ＤＢ１６に登録されている情報の中から必要な項目の情報を検索したりするようになっている。
ここで、ユーザＩＤは、利用者を特定するために利用者毎に予め設定された情報であり、メールアドレスは各利用者のメールアドレスであって、携帯電話機４０以外の情報処理装置で電子メールの送受信を行なうための電子メールのメールアドレスである。携帯電話番号は、各利用者の携帯電話機４０の電話番号（発信者番号）であり、携帯電話メールアドレスはその携帯電話機４０で電子メールを送受信するためのメールアドレスである。
「携帯電話メールへの転送が必要か否か」の情報とは、その利用者が、自分のメールアドレス（携帯電話機４０の電子メールアドレス以外のもの）宛に送信された電子メールを、利用者の携帯電話機４０のメールアドレスに転送する必要があるか否かの情報であり、例えば、携帯電話機４０の利用者が予め設定するものである。
「オリジナルメールに対する音声返答が必要か否か」の情報とは、その利用者が、受信したオリジナルメールに対して、音声による返答を行なうか否かの情報であり、例えば、携帯電話機４０の利用者が予め設定するものである。
音声送受信判断部１７は、オリジナルメールに関して、音声データの取り扱いをどのようにするかを判断するものであって、ユーザ情報ＤＢ１６を参照して携帯電話機４０からオリジナルメールへの返答として音声データを送信するか否か等を判断するようになっている。
また、音声送受信判断部１７は、ユーザ情報管理部１５が管理するユーザ情報ＤＢ１６に設定された、「オリジナルメールに対する音声返答が必要か否か」の項目の設定値に基づいて、携帯電話機４０から入力される音声データを受信する必要があるか否かを判断するようになっている。
音声データ管理部２２は、携帯電話機４０から受信した音声データの登録および管理を行なうものである。音声データ管理部２２は、携帯電話機４０から音声データを送信する場合、すなわち、携帯電話機４０から音声データによってオリジナルメールに対して返答を行なう場合には、音声送受信部１４によって受信した音声データを音声データＤＢ２３に格納して管理するとともに、その格納場所の情報（例えば、ＵＲＬ（Ｕｎｉｆｏｒｍ  Ｒｅｓｏｕｒｃｅ  Ｌｏｃａｔｏｒ）等）を後述する音声／メール対応管理部１９に通知するようになっている。
電話番号管理部１８は、音声データの送受信を行なうために予め確保された複数の電話回線の中から、携帯電話機４０側から発呼して通話を確立するための電話番号（音声入力用電話番号）を、返答を行なうオリジナルメールに対応させて選択（設定）するようになっている。そして、本第１実施形態においては、電話番号管理部１８は、利用者宛のオリジナルメールが複数あり、利用者が複数のオリジナルメールに対して返答を行なう場合には、これらの返答を行なうオリジナルメール毎に異なる音声入力用電話番号をそれぞれ設定するようになっている。
また、電話番号管理部１８は、音声入力用電話番号を選択する際に、そのオリジナルメールの送信先のメールアドレスに基づいて、ユーザ情報管理部１５から、オリジナルメールの送信先である利用者の携帯電話機４０の電話番号（発信者番号）を取得し、この取得した電話番号と、選択した音声入力用電話番号とを対応付けて管理するようになっている。
音声／メール対応管理部１９は、音声データと電子メール（オリジナルメール，通知電子メール，リプライメール）とを対応付けるものであり、音声データと電子メールとを対応付けるための情報（対応関係）をメール対応情報ＤＢ２０に登録するようになっている。又、音声／メール対応管理部１９は、必要に応じてメール対応情報ＤＢ２０に登録された情報の検索を行なうようになっている。
メール対応情報ＤＢ２０は、各オリジナルメールについて、オリジナルメールの送信先のユーザＩＤ，オリジナルメールの送信先の利用者の携帯電話番号，音声入力用電話番号，音声データの格納場所，オリジナルメールの内容（ヘッダおよび本文）を互いに対応付けて、それらの対応関係とともに保存するようになっている。
ここで、音声入力用電話番号は、電話番号管理部１８が設定した電話番号であり、送信音声データの格納場所とは、携帯電話機４０から入力された音声データの格納場所である。オリジナルメールの内容としては、そのヘッダと本文（テキスト情報）とが管理されるようになっている。
また、オリジナルメールの送信先の利用者のユーザＩＤおよびオリジナルメールの送信先の利用者の携帯電話番号は、それぞれ、オリジナルメールの送信先のメールアドレスに基づいて（キーとして）、ユーザ情報管理部１５が取得するようになっている。
メール加工部２１は、電子メールの加工を行なうものであって、オリジナルメールのメール本文（テキスト情報）に基づいて、携帯電話機４０に通知するための電子メール（以下、通知電子メールという場合もある）を作成するようになっており、テキスト情報通知部として機能するようになっている。
また、メール加工部２１は、電話番号管理部１８によって設定された音声入力用電話番号を携帯電話機４０に対して通知するために、作成した通知電子メールに、電話番号管理部１８によって設定された音声入力用電話番そのものを挿入するようになっており、電話番号通知部として機能するようになっている。
図４は本発明の第１実施形態としての電子メールシステム１ａにおけるメール加工部２１によって作成された通知電子メールを携帯電話機４０の表示部４４に表示した例を示す図であって、音声入力用電話番号をメール本文中にそのまま挿入して作成した通知電子メールを示す図である。
メール加工部２１は、この図４に示すような通知電子メールを作成するようになっている。メール加工部２１は、通知電子メールを作成するに際して、オリジナルメールのヘッダに応じて通知電子メールの各ヘッダを設定するようになっている。例えば、メール加工部２１は、通知電子メールのヘッダにおいて、「Ｆｒｏｍ」欄に、オジナルメールの送信元のメールアドレスを、「Ｔｏ」欄に、オリジナルメールの送信先の利用者の携帯電話機４０のメールアドレスを、「Ｓｕｂｊｅｃｔ」欄に、オリジナルメールのＳｕｂｊｅｃｔそのものをそれぞれ用いる。
また、メール加工部２１は、携帯電話機４０の利用者がオリジナルメールの送信元に対して音声によるリプライを行なった場合に、オリジナルメールの送信元に対して、携帯電話機４０から音声データによる返答があった旨を電子メール（リプライ電子メール）として作成するようになっており、応答情報通知部として機能するようになっている。
そして、メール加工部２１は、ユーザ情報管理部１５および音声／メール対応管理部１９から取得した情報に基づいてリプライ電子メールを作成するようになっている。メール加工部２１は、リプライ電子メールを作成するに際しても、オリジナルメールのヘッダに応じてリプライ電子メールの各ヘッダを設定するようになっている。例えば、メール加工部２１は、リプライ電子メールのヘッダにおいて、「Ｆｒｏｍ」欄に、音声による返答を行なう利用者、すなわち、オリジナルメールの送信先のメールアドレスを、「Ｔｏ」欄に、オリジナルメールの送信元のメールアドレスを、「Ｓｕｂｊｅｃｔ」欄に、オリジナルメールのＳｕｂｊｅｃｔの先頭に「Ｒｅ：」を付したものを、「Ｒｅｆｅｒｅｎｃｅｓ」欄にはオリジナルメールのＭｅｓｓａｇｅ−ＩＤ値をそれぞれ用いる。
また、メール加工部２１は、携帯電話機４０のマイクロフォン４１を介して利用者によって入力された音声データそのものをリプライ電子メールに添付ファイルとして付加したり、又、音声データの保存場所（音声データＤＢ２３）にアクセスするためのポインタ（例えばＵＲＬ（Ｕｎｉｆｏｒｍ  Ｒｅｓｏｕｒｃｅ  Ｌｏｃａｔｏｒ）等）をリプライ電子メールに付加したりするようになっている。
なお、リプライ電子メールに音声データそのものを添付するが、その保存場所にアクセスするためのポインタを付加するかは、予め利用者が選択できるようにしてもよく、その場合には、その選択結果をユーザ情報ＤＢ１６等に登録することが望ましい。
音声ガイド部２４は、携帯電話機４０の利用者に対して、種々の操作についてのガイダンスを音声によって提供するものであって、音声ガイダンス提供部として機能するものである。具体的には、音声ガイド部２４は、音声送受信部１４との間で音声通話が確立されている携帯電話機４０に、例えば、ダイヤルボタン４３の押下や音声入力を行うタイミングや、どのダイヤルボタン４３を押下すべきか、等を携帯電話機４０の利用者に通知するようになっている。
発信者番号取得部２５は、電話番号管理部１８によって設定された電話番号に電話をかけるために用いた携帯電話機４０の電話番号を取得するものであって、例えば、携帯電話機４０の発信者通知機能を用いたり、又、携帯電話機４０の利用者にその電話番号を入力させたりすることによって、その電話番号を取得するようになっている。
電話番号判断部２６は、電話番号管理部１８によって設定された音声入力用電話番号と、電話番号取得部２５によって取得された電話番号（発信者番号）との組み合わせが、予め設定され電話番号管理部１８によって管理されている電話番号の組み合わせと一致するか否かを判断するものであって、その判断結果を選択部２７に通知するようになっている。
選択部２７は、電話番号判断部２６から通知された判断結果において、電話番号管理部１８によって設定された音声入力用電話番号と、電話番号取得部２５によって取得された発信者番号との組み合わせが、電話番号管理部１８によって予め設定された電話番号の組み合わせと一致する場合に、その音声入力用電話番号に対応するオリジナルメールを選択するようになっている。
この選択部２７によって、携帯電話機４０の発信者番号と音声入力用電話番号との組み合わせを判断することにより、例えば、その利用者に送信されたオリジナルメールが複数ある場合においても、返答を行なう特定のオリジナルメールを簡単に選択することができる。
上述の如く構成された本発明の第１実施形態としての電子メールシステム１ａにおいて、ＰＣ７０からオリジナルメールが送信先のメールアドレスに対して送信されると、この送信されたオリジナルメールに関する通知電子メール（図４参照）がメール加工部２１によって作成され、メール送受信部１１によって携帯電話機４０のメールアドレスに送信される。そして、この通知電子メールを携帯電話機４０で受信した送信先の利用者は、携帯電話機４０からオリジナルメールに対して音声データによって返答を行なう。
先ず、本発明の第１実施形態としての電子メールシステム１ａにおける、ＰＣ７０から送信されたオリジナルメールについて、通知電子メールを携帯電話機４０に転送する際における処理を、図５に示すフローチャート（ステップＡ１０〜Ａ６０）に従って説明する。
ＰＣ７０が送信先に対してオリジナルメールを送信すると、音声／メール連携装置１０ａにおいて、先ず、メール送受信部１１がそのオリジナルメールを受信し（ステップＡ１０）、音声送受信判断部１７が、ユーザ情報管理部１５に対して、そのオリジナルメールに対して音声による返答を必要とするか否かを、オリジナルメールの宛先アドレスをキーとして問い合わせる（ステップＡ２０）。
ここで、音声による返答が必要ない場合には（ステップＡ２０のＮＯルート参照）、そのオリジナルメールの宛先アドレスを携帯電話機４０のメールアドレスに書き換え、その宛先を書き換えたオリジナルメールを、携帯電話機４０のメールアドレスに転送して（ステップＡ６０）、処理を終了する。
一方、利用者が音声による返答を必要とする場合には（ステップＡ２０のＹＥＳルート参照）、先ず、電話番号管理部１８が、そのオリジナルメールに対して音声入力用電話番号を割り当てる（ステップＡ３０）。又、音声／メール対応管理部１９が、そのオリジナルメールの送信先のメールアドレスに基づいて、ユーザ情報管理部１５からその送信先の利用者の携帯電話機４０の電話番号を取得し、その電話番号と音声返答用電話番号とオリジナルメールとを互いに対応付けて、その対応付関係（対応付け情報）をメール対応情報ＤＢ２０に保存する（ステップＡ４０）。
また、メール加工部２１が、オリジナルメールのメール本文を取得するとともに、そのメール本文に音声入力用電話番号を挿入することによって通知電子メールを作成し（ステップＡ５０）、メール送受信部１１が、その作成された通知電子メールを携帯電話機４０に転送する（ステップＡ６０）。
次に、本発明の第１実施形態としての電子メールシステム１ａにおける、送信先によって携帯電話機４０からの音声入力で行なわれる返答に関する処理を、図６に示すフローチャート（ステップＢ１０〜Ｂ５０）に従って説明する。
携帯電話機４０の利用者は、携帯電話機４０を用いて通知電子メールを受信し、この通知電子メールによってオリジナルメールの内容を知る。そして、携帯電話機４０の利用者がオリジナルメールに対する返答を音声によって行なう場合には、利用者は、例えば、その通知電子メールにおいて、本文中の電話番号を選択することにより、ＰＨＯＮＥ  ＴＯ機能よりその電話番号に電話をかける。音声／メール連携装置１０ａは、携帯電話機４０からかけられた電話を受ける（ステップＢ１０）。
利用者が、音声ガイド部２４が提供する音声ガイドに従って、オリジナルメールに対する返答を携帯電話機４０のマイクロフォン４１から音声によって入力すると、音声データ管理部２２は、この入力された音声データを音声データＤＢ２３に保存する（ステップＢ２０）。
ここで、発信者番号取得部２５が、音声入力用電話番号にかけてきた携帯電話機４０の発信者番号を取得して、電話番号判断部２６が、発信者番号取得部２５によって取得した発信者番号と電話番号管理部１８によって設定された音声入力用電話番号との組み合わせが、電話番号管理部１８によって管理されている電話番号の組み合わせと一致するか否かを判断する。そして、選択部２７が、これらの電話番号の組み合わせに対応するオリジナルメールを、音声による返答を行なう対象として選択する（ステップＢ３０）。
メール加工部２１が、この選択されたオリジナルメールに対するリプライ電子メールを作成する（ステップＢ４０）。なお、メール加工部２１は、このリプライ電子メールに、携帯電話機４０のマイクロフォン４１から利用者が入力した音声データをそのまま添付したり、もしくはその保存場所を示すポインタを付加したりする。
そして、メール加工部２１によって作成されたリプライ電子メールが、メール送受信部１１によってオリジナルメールの送信元に対して送信される（ステップＢ５０）。
このように、本発明の第１実施形態としての電子メールシステム１ａによれば、携帯電話機４０を用いて受信した電子メール（オリジナルメール）に対して、携帯電話機４０の利用者が音声によって返答を行なうことができる。これにより、携帯電話機４０のダイヤルボタン４３を用いて煩雑な文字入力を行なう必要がなく利便性が高い。
また、その返答（リプライ電子メール）を受信するもの、すなわちオリジナルメールの送信元は、一般的な電子メールと同様に、送信したオリジナルメールと受信したリプライ電子メール（音声データを含む）とを、通常の電子メールと同様に対応付けて取り扱うことができるので、電子メールの送受信の履歴を簡単に管理することができ利便性が高い。
さらに、一般的な携帯電話システムのような、通信が終了するまで回線を占有する方式である回線交換方式を採用し、データ通信と音声通信（音声通話）とを同時に行なうことができないシステムで電子メールを送受信する場合においても、電子メールと音声データとを一体的に取り扱うことができ利便性が高い。
また、ＰＨＯＮＥ  ＴＯ機能により音声入力用電話番号に簡単に電話をかけることができるので、携帯電話機４０の利用者は音声入力用電話番号を覚える必要がなく、利便性が高い。
（Ｂ）第２実施形態の説明
図７は本発明の第２実施形態としての電子メールシステムの構成を示すブロック図である。なお、図中、既述の符号と同一の符号は同一もしくは略同一の部分を示しているので、その説明は省略する。
図７に示すように、本発明の第２実施形態としての電子メールシステム１ｂも、第１実施形態の電子メールシステム１ａと同様に、例えば、ＰＣ７０の利用者と携帯電話機４０の利用者との間で電子メールを送受信するためのものであって、第１実施形態の電子メールシステム１ａ（図１参照）における音声／メール連携装置１０ａに代えて、音声／メール連携装置１０ｂをそなえるものである。
音声／メール連携装置１０ｂは、第１実施形態の音声／メール連携装置１０ａにウェブアクセス処理部１３をそなえて構成されている。
ウェブアクセス処理部１３は、電話番号管理部１８によって選択（設定）された音声入力用電話番号を示すウェブページ（音声入力用電話番号通知ページ）を作成し、この作成した音声入力用電話番号通知ページを通信ネットワーク５０を介して接続された携帯電話機４０に対して閲覧可能に提供するものであり、いわゆるウェブサーバとしての機能をそなえている。
すなわち、本第２実施形態においては、ウェブアクセス処理部１３が電話番号管理部１８によって設定された電話番号を携帯電話機４０に対して通知する電話番号通知部として機能するようになっている。
また、本第２実施形態の電子メールシステム１ｂにおいては、ユーザ情報管理部１４は、各携帯電話機４０のデバイス番号をユーザＩＤ等とともに管理するようになっている。このデバイス番号は、携帯電話機４０を特定するための情報であって、予め携帯電話機４０毎に設定されている。
さらに、メール対応情報ＤＢ２０は、各オリジナルメールについて、オリジナルメールの送信先のユーザＩＤ，オリジナルメールの送信先の利用者の携帯電話番号，オリジナルメールの送信先の利用者の携帯電話デバイス番号，音声入力用電話番号，音声データの格納場所，オリジナルメールの内容（ヘッダおよび本文）を互いに対応付けて、それらの対応関係とともに保存するようになっている。
また、ウェブアクセス処理部１３は、通信ネットワーク５０を介して接続されたＰＣ７０や携帯電話機４０に対して、各種のガイダンス示すウェブページを提供するようになっており、ウェブガイダンス提供部として機能するようになっている。
また、メール加工部２１は、電話番号管理部１８によって設定された音声入力用電話番号を携帯電話機４０に対して通知するために、音声入力用電話番号をメール本部中にそのまま挿入する代わりに、作成した通知電子メールに、ウェブアクセス処理部１３によって予め作成された、音声入力用電話番号通知ページにアクセスするためのポインタ（例えばＵＲＬやリンク等）をメール本文中に挿入するようになっている。
図８は本発明の第２実施形態としての電子メールシステム１ｂにおけるメール加工部２１によって作成された通知電子メールを携帯電話機４０の表示部４４に表示した例を示す図であって、メール本文中に、音声入力用電話番号通知ページにアクセスするためのリンクタグ（ポインタ）を挿入して作成した通知電子メールを示す図である。本第２実施形態においては、メール加工部２１は、この図８に示すような通知電子メールを作成するようになっている。
また、本第２実施形態の音声／メール連携装置１０ｂにおいては、音声／メール対応管理部１９は、受信したオリジナルメールの送信先のメールアドレスに基づいて、ユーザ情報管理部１５からその送信先の利用者の携帯電話機４０のデバイス番号を取得し、このデバイス番号とオリジナルメールとを互いに対応付けて、その対応関係（対応付け情報）をメール対応情報ＤＢ２０に保存（登録）するようになっている。
さらに、本第２実施形態の携帯電話機４０は、音声／メール連携装置１０ｂが掲示するウェページを閲覧可能なブラウザソフトをそなえており、その表示部４４にウェブデータを表示することができるようになっている。受信した電子メールやウェブページ中にリンクタグ（ポインタ）が挿入されている場合には、それらの電子メールやウェブページを表示部４４（例えば図８参照）に表示させている状態でそのリンクタグを選択（クリック）することにより、そのリンクタグによって関連付けられているウェブページやデータにアクセスすることができるようになっている（Ｗｅｂ  ＴＯ機能）。
上述の如く構成された本発明の第２実施形態としての電子メールシステム１ｂにおいて、ＰＣ７０からオリジナルメールが送信先のメールアドレスに対して送信されると、この送信されたオリジナルメールに関する通知電子メール（図８参照）がメール加工部２１によって作成され、メール送受信部１１によって携帯電話機４０のメールアドレスに送信される。そして、この通知電子メールを携帯電話機４０で受信した送信先の利用者は、携帯電話機４０からＰＣ７０に対して音声データによって返答を行なう。
先ず、本発明の第２実施形態としての電子メールシステム１ｂにおける、ＰＣ７０から送信されたオリジナルメールについて、通知電子メールを携帯電話機４０に転送する際における処理を、図９に示すフローチャート（ステップＣ１０〜Ｃ５０）に従って説明する。
ＰＣ７０が送信先に対してオリジナルメールを送信すると、音声／メール連携装置１０ｂにおいて、先ず、メール送受信部１１がそのオリジナルメールを受信し（ステップＣ１０）、音声送受信判断部１７が、そのオリジナルメールに対して音声による返答を必要とするか否かを、ユーザ情報管理部１５に対してオリジナルメールの宛先アドレスをキーとして問い合わせる（ステップＣ２０）。
ここで、音声による返答が必要ない場合には（ステップＣ２０のＮＯルート参照）、そのオリジナルメールの宛先アドレスを携帯電話機４０のメールアドレスに書き換え、メール送受信部１１が、その宛先を書き換えたオリジナルメールを、携帯電話機４０のメールアドレスに転送して（ステップＣ５０）、処理を終了する。
一方、利用者が音声による返答を必要とする場合には（ステップＣ２０のＹＥＳルート参照）、音声／メール対応管理部１９は、そのオリジナルメールの送信先のメールアドレスに基づいて、ユーザ情報管理部１５からその送信先の利用者の携帯電話機４０のデバイス番号を取得し、この取得したデバイス番号とオリジナルメールとを互いに対応付けて、その対応関係（対応付け情報）をメール対応情報ＤＢ２０に保存（登録）する（ステップＣ３０）。
また、メール加工部２１が、オリジナルメールからメール本文を取得するとともに、そのメール本文に音声入力用電話番号通知ページへアクセスするためのリンクタグを挿入することによって通知電子メールを作成し（ステップＣ４０）、メール送受信部１１が、その作成された通知電子メールを携帯電話機４０に転送する（ステップＣ５０）。
次に、本発明の第２実施形態としての電子メールシステム１ｂにおける、送信先によって携帯電話機４０からの音声入力で行なわれる返答に関する処理を、図１０に示すフローチャート（ステップＤ１０〜Ｄ１００）に従って説明する。
携帯電話機４０の利用者が、携帯電話機４０を用いて通知電子メールを受信し、この通知電子メールによってオリジナルメールの内容を知る。そして、携帯電話機４０の利用者がオリジナルメールに対する返答を音声によって行なう場合には、例えば、利用者は、その通知電子メール（図８参照）において本文中のリンクタグを選択（クリック）することにより、Ｗｅｂ  ＴＯ機能によって音声入力用電話番号通知ページにアクセスする。これにより、音声／メール連携装置１０ｂは携帯電話機４０からの音声入力用電話番号通知ページ（音声返答用ページ）へのアクセスを受信する（ステップＤ１０）。
音声／メール連携装置１０ｂは、音声入力用電話番号通知ページへアクセスしてきた携帯電話機４０のデバイス番号を取得し、このデバイス番号に基づいてユーザ情報管理部１５からその利用者に関するユーザ情報を取得する（ステップＤ２０）。
また、電話番号管理部１８が、この利用者による音声入力用電話番号通知ページへのアクセスに対して音声入力用電話番号を割り当て（ステップＤ３０）、音声／メール対応管理部１９が、その携帯電話機４０の電話番号（発信者番号），音声入力用電話番号，オリジナルメール等を対応付けて、その対応情報をメール対応情報ＤＢ２０に保存する（ステップＤ４０）。又、ウェブアクセス処理部１３は、音声入力用電話番号通知ページに電話番号管理部１８が設定した音声入力用電話番号を表示させる（ステップＤ５０）。
そして、利用者は、例えば、携帯電話機４０の表示部４４に表示された音声入力用電話番号通知ページにおいて、表示された音声入力用電話番号を選択することにより、携帯電話機４０のＰＨＯＮＥ  ＴＯ機能によって音声入力用電話番号に電話をかけ、音声送受信部１４がその電話を受ける（ステップＤ６０）。そして、利用者が、オリジナルメールに対する返答を携帯電話機４０のマイクロフォン４１から音声によって入力すると、音声データ管理部２２は、この入力された音声データを音声データＤＢ２３に保存する（ステップＤ７０）。
ここで、発信者番号取得部２５が、音声入力用電話番号にかけてきた携帯電話機４０の発信者番号を取得して、電話番号判断部２６が、発信者番号取得部２５によって取得した発信者番号と電話番号管理部１８によって設定された音声入力用電話番号との組み合わせが、電話番号管理部１８によって管理されている電話番号の組み合わせと一致するか否かを判断する。そして、選択部２７が、これらの電話番号の組み合わせに対応するオリジナルメールを、音声による返答を行なう対象として選択する（ステップＤ８０）。
メール加工部２１が、この選択されたオリジナルメールに対するリプライ電子メールを作成する（ステップＤ９０）。なお、メール加工部２１は、このリプライ電子メールに、携帯電話機４０のマイクロフォン４１から利用者が入力した音声データをそのまま添付したり、もしくはその保存場所を示すポインタを付加したりする。
そして、メール加工部２１によって作成されたリプライ電子メールが、メール送受信部１１によってオリジナルメールの送信元に対して送信される（ステップＤ１００）。
このように、本発明の第２実施形態としての電子メールシステム１ｂによれば、第１実施形態と同様の作用効果を得ることができほか、Ｗｅｂ  ＴＯ機能により音声入力用ウェブページに簡単にアクセスすることができるので、携帯電話機４０の利用者は、ＵＲＬを覚えたり手入力したりする必要がなく利便性が高い。
（Ｃ）第３実施形態の説明
図７に示すように、本発明の第３実施形態としての電子メールシステム１ｃも、第１実施形態や第２実施形態の電子メールシステム１ａ，１ｂと同様に、例えば、ＰＣ７０の利用者と携帯電話機４０の利用者との間で電子メールを送受信するためのものであって、第２実施形態の電子メールシステム１ｂとほぼ同様の構成をそなえている。
本第３実施形態の音声／メール連携装置１０ｃにおいては、メール加工部２１が作成した通知電子メールやリプライ電子メールを、メール送受信部１１が電子メールとしてその送信先のメールアドレスに送信する代わりに、ウェブアクセス処理部１３がそれらの内容をウェブページ（ウェブメール）として表示するようになっている。
すなわち、本第３実施形態においては、メール加工部２１が、通信ネットワーク５０を介してアクセスしてきた携帯電話機４０が閲覧可能であって、少なくともＰＣ７０等から送信されたオリジナルメールのテキスト情報を含むウェブデータ（通知ウェブデータ）を作成するようになっており、ウェブアクセス処理部１３が、この通知ウェブデータを、ＰＣ７０や携帯電話機４０に対して閲覧可能に掲示するようになっている。
そして、本第３実施形態の電子メールシステム１ｃにおいては、この通知ウェブデータに、電話番号管理部１８によって設定された音声入力用電話番号がそのまま挿入されるようになっている。なお、以下、この通知ウェブデータによって構成されるウェブページを通知ウェブページという場合もある。
また、メール加工部２１は、携帯電話機４０から音声入力用電話番号による返答があった旨を応答情報として、通信ネットワーク（インターネット）５０上に配置されるウェブデータ（リプライウェブデータ）として構成するようになっている。
なお、このリプライウェブデータにおいては、携帯電話機４０のマイクロフォン４１から、オリジナルメールに対する返答として入力された音声データは、そのリプライウェブデータに、添付データとして付加されたり、又、その音声データの保存場所にアクセスするためのポインタ（例えばＵＲＬ等）が付加されたりするようになっている。又、以下、このリプライウェブデータによって構成されるウェブページをリプライウェブページという場合もある。
また、本第３実施形態の音声／メール連携装置１０ｃにおいては、音声／メール対応管理部１９は、オリジナルメールや携帯電話機４０のデバイス番号等とともに、通知ウェブデータやリプライウェブデータのＵＲＬ等もメール対応情報ＤＢ２０に管理するようになっている。
上述の如く構成された本発明の第３実施形態としての電子メールシステム１ｃにおいて、ＰＣ７０からオリジナルメールが送信先のメールアドレスに対して送信された場合には、この送信されたオリジナルメールに関する通知ウェブデータがメール加工部２１によって作成され、ウェブアクセス処理部１３によって通知ウェブページとして通信ネットワーク５０上に閲覧可能に掲示される。そして、この通知ウェブページを携帯電話機４０で閲覧した送信先の利用者は、携帯電話機４０からＰＣ７０に対して音声データによって返答を行なう。
先ず、本発明の第３実施形態としての電子メールシステム１ｃにおける、ＰＣ７０から送信されたオリジナルメールについて、通知電子メールを携帯電話機４０に転送する際における処理を、図１１に示すフローチャート（ステップＥ１０〜Ｅ６０）に従って説明する。
ＰＣ７０が送信先に対してオリジナルメールを送信すると、音声／メール連携装置１０ｃにおいて、先ず、メール送受信部１１がそのオリジナルメールを受信し（ステップＥ１０）、音声送受信判断部１７が、ユーザ情報管理部１５に対して、そのオリジナルメールに対して音声による返答を必要とするか否かを、オリジナルメールの宛先アドレスをキーとして問い合わせる（ステップＥ２０）。
ここで、音声による返答が必要ない場合には（ステップＥ２０のＮＯルート参照）、メール加工部２１が、そのオリジナルメールの内容をウェブメールとして作成し、ウェブアクセス処理部１３が、通信ネットワーク５０上に閲覧可能に掲示して（ステップＥ６０）、処理を終了する。
一方、利用者が音声による返答を必要とする場合には（ステップＥ２０のＹＥＳルート参照）、先ず、電話番号管理部１８が、そのオリジナルメールに対して音声入力用電話番号を割り当てる（ステップＥ３０）。又、音声／メール対応管理部１９が、そのオリジナルメールの送信先のメールアドレスに基づいて、ユーザ情報管理部１５からその送信先の利用者の携帯電話機４０の電話番号を取得し、その電話番号と音声返答用電話番号とオリジナルメールとを互いに対応付けて、その対応付関係（対応付け情報）をメール対応情報ＤＢ２０に保存する（ステップＥ４０）。
また、メール加工部２１が、オリジナルメールからメール本文を取得するとともに、そのメール本文に音声入力用電話番号そのものを挿入することによって通知ウェブデータを作成して、ウェブアクセス処理部１３が、オリジナルメールの内容とともに音声入力用電話番号を通知ウェブページとして通信ネットワーク５０上に閲覧可能に開示して（ステップＥ５０）処理を終了する。
なお、本発明の第３実施形態としての電子メールシステム１ｃにおける、送信先によって携帯電話機４０からの音声入力で行なわれる返答に関する処理については、携帯電話機４０の利用者が、携帯電話機４０を用いて通知ウェブページを閲覧することによりオリジナルメールの内容を知り、又、メール送受信部１１によってリプライ電子メールが送信される代わりに、その内容をウェブアクセス管理部１３がリプライウェブページとして掲示するほかは、図６に示したフローチャートとほぼ同様である。
このように、本発明の第３実施形態としての電子メールシステム１ｃによれば、第１実施形態と同様の作用効果を得ることができるほか、携帯電話機４０の利用者が通知ウェブページにアクセスすることによってオリジナルメールの内容を知ることができるので、その利用者が見たいときにオリジナルメールの内容を知ることができ、利便性が高い。
特に、例えば、利用者は電子メールの送受信はできないがウェブページを閲覧することができるような場合においても、オリジナルメールの内容を知ることが出来る。
同様に、オリジナルメールの送信元も、リプライウェブページにアクセスすることによってリプライ電子メールの内容を知ることができるので、その送信元が見たいときにリプライ電子メールの内容を知ることができ、利便性が高い。
（Ｄ）第４実施形態の説明
図７に示すように、本発明の第４実施形態としての電子メールシステム１ｄも、第１〜第３実施形態の電子メールシステム１ａ，１ｂ，１ｃと同様に、例えば、ＰＣ７０の利用者と携帯電話機４０の利用者との間で電子メールを送受信するためのものであって、第２実施形態の電子メールシステム１ｂとほぼ同様の構成をそなえている。
本第４実施形態の音声／メール連携装置１０ｄにおいても、第３実施形態と同様に、メール加工部２１が作成した通知電子メールやリプライ電子メールを、メール送受信部１１が電子メールとしてその送信先のメールアドレスに送信する代わりに、ウェブアクセス処理部１３がそれらの内容をウェブページ（ウェブメール）として表示するようになっている。
すなわち、本第４実施形態においては、メール加工部２１は、通信ネットワーク５０を介してアクセスしてきた携帯電話機４０が閲覧可能であって、少なくともＰＣ７０等から送信されたオリジナルメールのテキスト情報を含むウェブデータ（通知ウェブデータ）を作成するようになっており、ウェブアクセス処理部１３が、その通知ウェブデータを閲覧可能に掲示するようになっている。
また、この通知ウェブデータには、電話番号管理部１８によって設定された音声入力用電話番号を携帯電話機４０に対して通知するために、メール加工部２１によって予め作成された、音声入力用電話番号を示すウェブページ（音声入力用電話番号通知ページ）にアクセスするためのポインタ（例えばＵＲＬやリンク等）が挿入されるようになっている。なお、以下、この通知ウェブデータによって構成されるウェブページを通知ウェブページという場合もある。
上述の如く構成された本発明の第４実施形態としての電子メールシステム１ｄにおいて、ＰＣ７０からオリジナルメールが送信先のメールアドレスに対して送信された場合には、この送信されたオリジナルメールに関する通知ウェブデータがメール加工部２１によって作成され、ウェブアクセス処理部１３によって通知ウェブページとして通信ネットワーク５０上に閲覧可能に掲示される。そして、この通知ウェブページを携帯電話機４０で閲覧した送信先の利用者は、携帯電話機４０からＰＣ７０に対して音声データによって返答を行なう。
先ず、本発明の第４実施形態としての電子メールシステム１ｄにおける、ＰＣ７０から送信されたオリジナルメールについての通知ウェブデータを作成する処理を、図１２に示すフローチャート（ステップＦ１０〜Ｆ５０）に従って説明する。
ＰＣ７０が送信先に対してオリジナルメールを送信すると、音声／メール連携装置１０ｄにおいて、先ず、メール送受信部１１がそのオリジナルメールを受信し（ステップＦ１０）、音声送受信判断部１７が、ユーザ情報管理部１５に対して、そのオリジナルメールに対して音声による返答を必要とするか否かを、オリジナルメールの宛先アドレスをキーとして問い合わせる（ステップＦ２０）。
ここで、音声による返答が必要ない場合には（ステップＦ２０のＮＯルート参照）、メール加工部２１が、そのオリジナルメールの内容をウェブメールとして作成し、ウェブアクセス処理部１３が、通信ネットワーク５０上に閲覧可能に掲示して（ステップＦ５０）、処理を終了する。
一方、利用者が音声による返答を必要とする場合には（ステップＦ２０のＹＥＳルート参照）、音声／メール対応管理部１９は、そのオリジナルメールの送信先のメールアドレスに基づいて、ユーザ情報管理部１５からその送信先の利用者の携帯電話機４０のデバイス番号を取得し、オリジナルメールとを互いに対応付けて、その対応関係（対応付け情報）をメール対応情報ＤＢ２０に保存（登録）する（ステップＦ３０）。
また、メール加工部２１が、オリジナルメールからメール本文を取得するとともに、そのメール本文に音声入力用電話番号通知ページへアクセスするためのリンクタグを挿入することによって通知ウェブデータ（ウェブメール）を作成し、通信ネットワーク５０上に閲覧可能に掲示して（ステップＦ４０）、処理を終了する。
なお、本発明の第４実施形態としての電子メールシステム１ｄにおける、送信先によって携帯電話機４０からの音声入力で行なわれる返答に関する処理においては、図１０に示したフローチャートとほぼ同様である。
このように、本発明の第４実施形態としての電子メールシステム１ｄによっても、第３実施形態と同様の作用効果を得ることができる。
（Ｅ）第５実施形態の説明
図１３は本発明の第５実施形態としての電子メールシステムの構成を示すブロック図であり、図１３に示すように、本第５実施形態の電子メールシステム１ｅは、ＰＣ（Ｐｅｒｓｏｎａｌ  Ｃｏｍｐｕｔｅｒ：第１情報端末）７０，携帯電話機（第２情報端末）４０および音声／メール連携装置（管理装置）１０ｅをそなえて構成され、ＰＣ７０と携帯電話機４０との間において電子メールを送受信するものである。
以下、ＰＣ７０の利用者（送信元）から携帯電話機４０の利用者（送信先）に対して、音声データ（音声情報）に関する情報が付加された電子メール（オリジナルメール）を送信し、携帯電話機４０の利用者が、このオリジナルメールに付加された音声データを携帯電話機４０の音声通話機能を用いて聞き出す手法について説明する。なお、図中、既述の符号と同一の符号は同一もしくは略同一の部分を示しているので、その説明は省略する。
本第５実施形態の電子メールシステム１ｅにおいては、音声／メール連携装置（管理装置）１０ｅは、第１実施形態の音声／メール連携装置１０ａに音声情報取得部３０および音声情報再生部３１をそなえて構成されている。
また、本第５実施形態の電子メールシステム１ｅにおいては、ユーザ情報管理部１５は、ユーザ情報ＤＢ１６に、「オリジナルメールに音声データに関する情報が付加されていた場合に、その音声の再生を行なうか否か」の情報を、ユーザ情報としてオリジナルメール等に関連付けて保存して管理するようになっている。
そして、音声送受信判断部１７は、オリジナルメールに音声データが添付等されている場合には、ユーザ情報管理部１５に音声データの再生を行なうか否かを確認することによって、携帯電話機４０に対して音声データを送信するか否か等を判断するようになっている。
例えば、音声送受信判断部１７は、送信されたオリジナルメールについて、音声データに関する情報が付加されているか、すなわち、オリジナルメールに、音声データが添付されているか、もしくは音声データにアクセスするためのポインタ（リンク）が付加されているか否かを判断し、オリジナルメールに音声ファイルが添付されていたり、オリジナルメールの本文中に、後述する音声データ管理部２２が管理する音声データへのポインタが示されていたりする場合であって、そのオリジナルメールの送信先の利用者が、携帯電話機４０によって音声データの再生を行なう旨を予めユーザ情報ＤＢ１６に登録している場合に、音声データを送信する必要があると判断するようになっている。
そして、音声送受信部１４は、音声再生用電話番号（後述）を通して、音声通信路６０を介して接続してきた携帯電話機４０に対して、音声情報再生部３１（後述）によって再生された音声データを音声通話で送信するようになっている。
音声情報取得部３０は、オリジナルメールに音声データに関する情報が付加されている（音声データが関連付けられている）と、音声送受信判断部１７によって判断された場合に、その音声データに関する情報に基づいて音声情報を取得し、更に、音声データ管理部２２に対して、その取得した音声データを音声データＤＢ（音声情報保存部）２３に保存させ、又、管理させるようになっている。
例えば、オリジナルメールに音声データが添付されている場合には、音声情報取得部３０は、その音声データを複製する等して取得し、音声データＤＢ２３に保存させる。又、オリジナルメールに音声データにアクセスするためのポインタが付加されている場合には、音声情報取得部３０は、そのリンクを辿ってその音声データをダウンロードする等することにより取得し、音声データＤＢ２３に保存させる。
そして、音声データ管理部２２は、この音声情報取得部３０によって音声データ２３に保存された音声データをオリジナルメールと関連付けて管理するようになっている。
また、音声データ管理部２２は、オリジナルメールに音声データへアクセスするためのポインタが挿入されている場合には、そのポインタが、音声データＤＢ２３に既に登録済みの音声データへアクセスするためのポインタであるか否かも確認するようになっている。
例えば、携帯電話機４０の利用者どうしの間で電子メールの送受信を行なう場合であって、一の利用者から他の利用者に対して送信された電子メールに対して、他の利用者が、前述した第１〜第４実施形態の手法を用いて音声データによる返答を行なった場合に、その音声データによる返答の電子メール（オリジナルメール）を一の利用者が携帯電話機４０を用いて再生する場合であって、このリプライ電子メール（オリジナルメール）に音声データへアクセスするためのポインタが挿入されている場合には、音声データ管理部２２は、そのポインタが、音声データＤＢ２３に既に登録済みの音声データへアクセスするためのポインタであるか否かを確認するのである。これにより、音声データＤＢ２３における重複するデータの存在を排除し、音声データＤＢ２３を効率的に利用することができる。
音声情報再生部３１は、音声データＤＢ２３に保存された音声データを再生するものであり、その音声データのデータ形式（例えば、ＷＡＶやＭＰ３等）に応じて再生できるようになっている。
また、本第５実施形態の電話番号管理部１８は、音声データの送受信を行なうために予め確保された複数の電話回線の中から、音声情報再生部３１によって再生される音声データを、音声通話によって携帯電話機４０の利用者に聞かせるために、携帯電話機４０側から発呼して通話を確立するための電話番号（音声再生用電話番号）を、返答を行なうオリジナルメールに対応させて選択（設定）するようになっている。
そして、電話番号管理部１８は、利用者宛のオリジナルメールが複数あり、利用者が複数のオリジナルメールについて音声データの再生を行なう場合には、これらの再生を行なうオリジナルメール毎に異なる音声再生用電話番号をそれぞれ設定するようになっている。
また、電話番号管理部１８は、音声再生用電話番号を選択する際に、そのオリジナルメールの送信先のメールアドレスに基づいて、オリジナルメールの送信先である利用者の携帯電話機４０の電話番号（発信者番号）をユーザ情報管理部１５から取得し、この取得した電話番号と、選択した音声再生用電話番号とを対応付けて管理するようになっている。
メール加工部２１は、電子メールの加工を行なうものであって、オリジナルメールのメール本文の内容（テキスト情報）に基づいて、携帯電話機４０に通知するための電子メール（以下、通知電子メールという場合もある）を作成するようになっている。
また、メール加工部２１は、電話番号管理部１８によって設定された音声再生用電話番号を携帯電話機４０に対して通知するために、作成した通知電子メールに、電話番号管理部１８によって設定された音声再生用電話番そのものを挿入するようになっている。
図１４は本発明の第５実施形態としての電子メールシステム１ｅにおけるメール加工部２１によって作成された通知電子メールを携帯電話機４０の表示部４４に表示した例を示す図であって、音声再生用電話番号をそのまま挿入して作成した通知電子メールを示す図である。
メール加工部２１は、上述した第１実施形態と同様に、この図１４に示すような通知電子メールを作成するようになっている。例えば、メール加工部２１は、通知電子メールを作成するに際して、オリジナルメールのヘッダに応じて通知電子メールの各ヘッダを設定するようになっている。なお、この図１４に示す通知電子メールにおいては、音声聞き出し用番号を選択（クリック）することにより、ＰＨＯＮＥ  ＴＯ機能によって携帯電話機４０から音声再生用電話番号に電話をかけるようになっている。
音声データ管理部２２は、携帯電話機４０へ送信すべき音声データや携帯電話機４０から受信した音声データの登録および管理を行なうものである。音声データ管理部２２は、携帯電話機４０に音声データを送信する場合、すなわち、オリジナルメールに音声データ（音声ファイル）が添付されている場合には、その音声データを後述する音声データＤＢ２３に格納し、その格納場所の情報（例えば、ＵＲＬ（Ｕｎｉｆｏｒｍ  Ｒｅｓｏｕｒｃｅ  Ｌｏｃａｔｏｒ）等）を後述する音声／メール対応管理部１９に登録し管理するようになっている。
また、携帯電話機４０においては、その利用者は、電話番号管理部１８によって設定された電話番号を通して、音声送受信部１４に音声通信路６０を介して接続した状態で、音声情報再生部３１によって再生される音声データをスピーカ４２から聞き出すことができるようになっており、このスピーカ４２が音声聞出部として機能するようになっている。
電話番号判断部２６は、電話番号管理部１８によって設定された音声再生用電話番号と、電話番号取得部２５によって取得された電話番号（発信者番号）との組み合わせが、予め設定され電話番号管理部１８によって管理されている電話番号の組み合わせと一致するか否かを判断するものであって、その判断結果を選択部２７に通知するようになっている。
選択部２７は、電話番号判断部２６から通知された判断結果において、電話番号管理部１８によって設定された音声再生用電話番号と、電話番号取得部２５によって取得された発信者番号との組み合わせが、電話番号管理部１８によって予め設定された電話番号の組み合わせと一致する場合に、その音声再生用電話番号に対応するオリジナルメールを選択するようになっている。
そして、発信番号取得部２５，電話番号判断部２６および選択部２７によって、携帯電話機４０の発信者番号と音声再生用電話番号との組み合わせを判断することにより、例えば、その利用者に送信されたオリジナルメールが複数ある場合においても、音声データの再生を行なう特定のオリジナルメールを簡単に選択することができる。
上述の如く構成された本発明の第５実施形態としての電子メールシステム１ｅにおいて、ＰＣ７０からオリジナルメールが送信先のメールアドレスに対して送信されると、この送信されたオリジナルメールに関する通知電子メール（図１４参照）がメール加工部２１によって作成され、メール送受信部１１によって携帯電話機４０のメールアドレスに送信される。そして、この通知電子メールを携帯電話機４０で受信した送信先の利用者は、携帯電話機４０から音声データの再生を行なう。
先ず、本発明の第５実施形態としての電子メールシステム１ｅにおける、ＰＣ７０から送信されたオリジナルメールについて、通知電子メールを携帯電話機４０に転送する際における処理を、図１５に示すフローチャート（ステップＧ１０〜Ｇ７０）に従って説明する。
ＰＣ７０が送信先に対してオリジナルメールを送信すると、音声／メール連携装置１０ｅにおいて、先ず、メール送受信部１１がそのオリジナルメールを受信する（ステップＧ１０）。ここで、音声送受信判断部１７が、ユーザ情報管理部１５に対して、そのオリジナルメールに関連付けられた音声データの再生を必要とするか否かを確認するとともに、そのオリジナルメールに音声データが関連付けられているか否かを判断する（ステップＧ２０）。
ここで、音声データに音声データが関連付けられていない場合には（ステップＧ２０のＮＯルート参照）、そのオリジナルメールの宛先を携帯電話機４０のメールアドレスに書き換え、その宛先を書き換えたオリジナルメールを、携帯電話機４０のメールアドレスに転送して（ステップＧ７０）、処理を終了する。
一方、オリジナルメールに音声データが関連付けられている場合には（ステップＧ２０のＹＥＳルート参照）、先ず、音声情報取得部３０が、そのオリジナルメールに関連付けられた音声データを取得して、音声データＤＢ２３に保存し、音声データ管理部２２に管理させる（ステップＧ３０）。
そして、電話番号管理部１８が、そのオリジナルメールに対して音声再生用電話番号を割り当てる（ステップＧ４０）。又、音声／メール対応管理部１９が、そのオリジナルメールの送信先のメールアドレスに基づいて、ユーザ情報管理部１５からその送信先の利用者の携帯電話機４０の電話番号を取得し、その電話番号と音声再生用電話番号とオリジナルメールとを互いに対応付けて、その対応付関係（対応付け情報）をメール対応情報ＤＢ２０に保存する（ステップＧ５０）。
また、メール加工部２１が、オリジナルメールからメール本文を取得するとともに、そのメール本文に音声再生用電話番号を挿入することによって通知電子メールを作成し（ステップＧ６０）、メール送受信部１１が、その作成された通知電子メールを携帯電話機４０に転送する（ステップＧ７０）。
次に、本発明の第５実施形態としての電子メールシステム１ｅにおける、送信先によって携帯電話機４０において行なわれる音声データの再生に関する処理を、図１６に示すフローチャート（ステップＨ１０〜Ｈ３０）に従って説明する。
携帯電話機４０の利用者は、携帯電話機４０を用いて通知電子メールを受信し、この通知電子メールによってオリジナルメールの内容を知る。そして、携帯電話機４０の利用者が、オリジナルメールに関連付けられた音声データを携帯電話機４０を用いて聞き出す場合には、利用者は、例えば、その通知電子メール（図１４参照）において、本文中の電話番号を選択（クリック）することにより、ＰＨＯＮＥ  ＴＯ機能によりその電話番号に電話をかける。これにより、音声／メール連携装置１０ｅはこの携帯電話機４０からかけられた電話を受ける（ステップＨ１０）。
ここで、発信者番号取得部２５が、音声再生用電話番号にかけてきた携帯電話機４０の発信者番号を取得して、電話番号判断部２６が、発信者番号取得部２５によって取得した発信者番号と電話番号管理部１８によって設定された音声再生用電話番号との組み合わせが、電話番号管理部１８によって管理されている電話番号の組み合わせと一致するか否かを判断する。そして、選択部２７が、これらの電話番号の組み合わせに対応するオリジナルメールを、音声データの再生を行なう対象として選択する（ステップＨ２０）。
そして、音声情報再生部３１が、この選択されたオリジナルメールに関する音声データを音声データＤＢ２３から取得して再生する（ステップＨ３０）。携帯電話機４０の利用者は、この再生された音声データを、音声送受信部１４によって音声通信路６０を介して携帯電話機４０のスピーカ４２から聞き出す。
このように、本発明の第５実施形態としての電子メールシステム１ｅによれば、携帯電話機４０を用いて受信した電子メール（オリジナルメール）に添付等された音声データを、携帯電話機４０を用いて聞き出すことができ利便性が高い。
また、一般的な携帯電話システムのような、通信が終了するまで回線を占有する方式である回線交換方式を採用し、データ通信と音声通信（音声通話）とを同時に行なうことができないシステムで電子メールを送受信する場合においても、電子メールと音声データとを一体的に取り扱うことができ利便性が高い。
また、ＰＨＯＮＥ  ＴＯ機能により音声再生用電話番号に簡単に電話をかけることができるので、携帯電話機４０の利用者は音声再生用電話番号を覚える必要がなく利便性が高い。
（Ｆ）第６実施形態の説明
図１７は本発明の第６実施形態としての電子メールシステムの構成を示すブロック図である。なお、図中、既述の符号と同一の符号は同一もしくは略同一の部分を示しているので、その説明は省略する。
図１７に示すように、本発明の第６実施形態としての電子メールシステム１ｆも、第５実施形態の電子メールシステム１ｅと同様に、例えば、ＰＣ７０の利用者と携帯電話機４０の利用者との間で電子メールを送受信するためのものであって、第５実施形態の電子メールシステム１ｅ（図１３参照）における音声／メール連携装置１０ｅに代えて、音声／メール連携装置１０ｆをそなえるものである。
音声／メール連携装置１０ｆは、第５実施形態の音声／メール連携装置１０ｅにウェブアクセス処理部１３をそなえて構成されている。
ウェブアクセス処理部１３は、電話番号管理部１８によって選択（設定）された音声再生用電話番号を示すウェブページ（音声再生用電話番号通知ページ）を作成し、この作成した音声再生用電話番号通知ページを通信ネットワーク５０を介して接続された携帯電話機４０に対して閲覧可能に提供するものであり、いわゆるウェブサーバとしての機能をそなえている。
また、メール加工部２１は、電話番号管理部１８によって設定された音声再生用電話番号を携帯電話機４０に対して通知するために、作成した通知電子メールに、ウェブアクセス処理部１３によって予め作成された、音声再生用電話番号通知ページにアクセスするためのポインタ（例えばＵＲＬやリンク等）を挿入するようになっている。
図１８は本発明の第６実施形態としての電子メールシステム１ｆにおけるメール加工部２１によって作成された通知電子メールを携帯電話機４０の表示部４４に表示した例を示す図であって、音声再生用電話番号通知ページにアクセスするためのリンクタグ（ポインタ）を挿入して作成した通知電子メールを示す図である。本第６実施形態においては、メール加工部２１は、この図１８に示すような通知電子メールを作成するようになっている。
また、本第６実施形態の音声／メール連携装置１０ｆにおいては、音声／メール対応管理部１９は、受信したオリジナルメールの送信先のメールアドレスに基づいて、ユーザ情報管理部１５からその送信先の利用者の携帯電話機４０のデバイス番号を取得し、このデバイス番号とオリジナルメールとを互いに対応付けて、その対応関係（対応付け情報）をメール対応情報ＤＢ２０に保存（登録）するようになっている。
さらに、本第６実施形態の携帯電話機４０も、Ｗｅｂ  ＴＯ機能をそなえており、例えば、図１８に示す通知電子メールにおいて、音声聞き出し用ページ（音声再生用電話番号通知ページ）へリンクタグを選択（クリック）することにより、この音声再生用電話番号通知ページにアクセスすることができるようになっている。
上述の如く構成された本発明の第６実施形態としての電子メールシステム１ｆにおいて、ＰＣ７０からオリジナルメールが送信先のメールアドレスに対して送信されると、この送信されたオリジナルメールに関する通知電子メール（図１８参照）がメール加工部２１によって作成され、メール送受信部１１によって携帯電話機４０のメールアドレスに送信される。そして、この通知電子メールを携帯電話機４０で受信した送信先の利用者は、携帯電話機４０を用いて音声通信路６０を介して音声／メール連携装置１０ｆに接続し、オリジナルメールに付加された音声データを聞き出す。
先ず、本発明の第６実施形態としての電子メールシステム１ｆにおける、ＰＣ７０から送信されたオリジナルメールについて、通知電子メールを携帯電話機４０に転送する際における処理を、図１９に示すフローチャート（ステップＩ１０〜Ｉ６０）に従って説明する。
ＰＣ７０が送信先に対してオリジナルメールを送信すると、音声／メール連携装置１０ｆにおいて、先ず、メール送受信部１１がそのオリジナルメールを受信し（ステップＩ１０）、音声送受信判断部１７が、そのオリジナルメールが音声データに関する情報を含んでいるか否かを判断する（ステップＩ２０）。
ここで、オリジナルメールが音声データに関する情報を含んでいない場合には（ステップＩ２０のＮＯルート参照）、そのオリジナルメールの宛先を携帯電話機４０のメールアドレスに書き換え、その宛先を書き換えたオリジナルメールを、携帯電話機４０のメールアドレスに転送して（ステップＩ６０）、処理を終了する。
一方、オリジナルメールが音声データに関する情報（音声データそのものもしくは音声データにアクセスするためのポインタ）を含んでいる場合には（ステップＩ２０のＹＥＳルート参照）、音声情報取得部３０は、その音声データを取得し、音声データＤＢ２３に保存（登録）する（ステップＩ３０）。
また、音声／メール対応管理部１９は、そのオリジナルメールの送信先のメールアドレスに基づいて、ユーザ情報管理部１５からその送信先の利用者の携帯電話機４０のデバイス番号を取得し、この取得したデバイス番号とオリジナルメールとを互いに対応付けて、その対応関係（対応付け情報）をメール対応情報ＤＢ２０に保存（登録）する（ステップＩ４０）。
そして、メール加工部２１が、オリジナルメールからメール本文を取得するとともに、そのメール本文に音声再生用電話番号通知ページへアクセスするためのリンクタグを挿入することによって通知電子メールを作成し（ステップＩ５０）、メール送受信部１１が、その作成された通知電子メールを携帯電話機４０に転送する（ステップＩ６０）。
次に、本発明の第６実施形態としての電子メールシステム１ｆにおける、送信先が携帯電話機４０から音声データを行き出す際の処理を、図２０に示すフローチャート（ステップＪ１０〜Ｊ８０）に従って説明する。
携帯電話機４０の利用者が、携帯電話機４０を用いて通知電子メールを受信し、この通知電子メールによってオリジナルメールの内容を知る。そして、携帯電話機４０の利用者がオリジナルメールに関連付けられた音声データを聞き出す場合には、例えば、利用者は、その通知電子メールにおいて本文中のリンクタグを選択することにより、Ｗｅｂ  ＴＯ機能によって音声再生用電話番号通知ページにアクセスする。これにより、音声／メール連携装置１０ｆは携帯電話機４０からの音声再生用電話番号通知ページへのアクセスを受信する（ステップＪ１０）。
音声／メール連携装置１０ｆは、音声再生用電話番号通知ページへアクセスしてきた携帯電話機４０のデバイス番号を取得し、このデバイス番号に基づいてユーザ情報管理部１５からその利用者に関するユーザ情報を取得する（ステップＪ２０）。
また、電話番号管理部１８が、この利用者による音声再生用電話番号通知ページへのアクセスに対して音声再生用電話番号を割り当て（ステップＪ３０）、音声／メール対応管理部１９が、その携帯電話機４０の電話番号（発信者番号），音声再生用電話番号，オリジナルメール等を対応付けて、その対応情報をメール対応情報ＤＢ２０に保存する（ステップＪ４０）。又、ウェブアクセス処理部１３は、音声再生用電話番号通知ページに電話番号管理部１８が設定した音声再生用電話番号を表示させる（ステップＪ５０）。
そして、利用者は、例えば、音声再生用電話番号通知ページにおいてその音声再生用電話番号を選択することにより、ＰＨＯＮＥ  ＴＯ機能によって音声再生用電話番号に電話をかけ、音声送受信部１４がその電話を受ける（ステップＪ６０）。
ここで、発信者番号取得部２５が、音声再生用電話番号にかけてきた携帯電話機４０の発信者番号を取得して、電話番号判断部２６が、発信者番号取得部２５によって取得した発信者番号と電話番号管理部１８によって設定された音声再生用電話番号との組み合わせが、電話番号管理部１８によって管理されている電話番号の組み合わせと一致するか否かを判断する。そして、選択部２７が、これらの電話番号の組み合わせに対応するオリジナルメールに関連付けられた音声データを再生を行なう対象として選択し（ステップＪ７０）、音声情報再生部３１が、その音声データを再生して（ステップＪ８０）、処理を終了する。
このように、本発明の第６実施形態としての電子メールシステム１ｆによれば、第５実施形態と同様の作用効果を得ることができほか、Ｗｅｂ  ＴＯ機能により音声再生用ウェブページに簡単にアクセスすることができるので、携帯電話機４０の利用者は、ＵＲＬを覚えたり手入力したりする必要がなく利便性が高い。
（Ｇ）第７実施形態の説明
図１７に示すように、本発明の第７実施形態としての電子メールシステム１ｇも、第５実施形態や第６実施形態の電子メールシステム１ｅ，１ｆと同様に、例えば、ＰＣ７０の利用者と携帯電話機４０の利用者との間で電子メールを送受信するためのものであって、第６実施形態の電子メールシステム１ｆとほぼ同様の構成をそなえている。
本第７実施形態の音声／メール連携装置１０ｇにおいては、メール加工部２１が作成した通知電子メールやリプライ電子メールを、メール送受信部１１が電子メールとしてその送信先のメールアドレスに送信する代わりに、ウェブアクセス処理部１３がそれらの内容をウェブページ（ウェブメール）として表示するようになっている。
すなわち、本第７実施形態においては、メール加工部２１が、通信ネットワーク５０を介してアクセスしてきた携帯電話機４０が閲覧可能であって、少なくともＰＣ７０等から送信されたオリジナルメールのテキスト情報を含むウェブデータ（通知ウェブデータ）を作成するようになっており、ウェブアクセス処理部１３が、この通知ウェブデータをＰＣ７０や携帯電話機４０が閲覧可能に掲示するようになっている。
そして、この通知ウェブデータにおいては、電話番号管理部１８によって設定された音声再生用電話番号がそのまま挿入されるようになっている。なお、以下、この通知ウェブデータによって構成されるウェブページを通知ウェブページという場合もある。
また、本第７実施形態の音声／メール連携装置１０ｇにおいては、音声／メール対応管理部１９は、オリジナルメールや携帯電話機４０のデバイス番号等とともに、通知ウェブデータのＵＲＬ等もメール対応情報ＤＢ２０に管理するようになっている。
上述の如く構成された本発明の第７実施形態としての電子メールシステム１ｇにおいて、音声データが関連付けられたオリジナルメールがＰＣ７０から送信先のメールアドレスに対して送信された場合には、この送信されたオリジナルメールに関する通知ウェブデータがメール加工部２１によって作成され、ウェブアクセス処理部１３によって通知ウェブページとして通信ネットワーク５０上に閲覧可能に掲示される。そして、この通知ウェブページを携帯電話機４０で閲覧した送信先の利用者は、そのオリジナルメールに関連付けられた音声データを携帯電話機４０から聞き出す。
先ず、本発明の第７実施形態としての電子メールシステム１ｇにおける、ＰＣ７０から送信されたオリジナルメールについての通知ウェブデータを作成する処理を、図２１に示すフローチャート（ステップＫ１０〜Ｋ７０）に従って説明する。
ＰＣ７０が送信先に対して、音声データを関連付けたオリジナルメールを送信すると、音声／メール連携装置１０ｇにおいて、先ず、メール送受信部１１がそのオリジナルメールを受信し（ステップＫ１０）、音声送受信判断部１７が、そのオリジナルメールに音声データが関連付けられているか否かを判断する（ステップＫ２０）。
ここで、オリジナルメールに音声データが関連付けられていない場合には（ステップＫ２０のＮＯルート参照）、ウェブアクセス処理部１３およびメール加工部２１が、そのオリジナルメールの内容をウェブメールとして作成し、通信ネットワーク５０上に閲覧可能に掲示して（ステップＫ７０）、処理を終了する。
一方、オリジナルメールに音声データが関連付けられている場合には（ステップＫ２０のＹＥＳルート参照）、先ず、音声情報取得部３０が、そのオリジナルメールに付加された音声データを取得して、音声データＤＢ２３に保存し、音声データ管理部２２に管理させる（ステップＫ３０）。
そして、電話番号管理部１８が、そのオリジナルメールに対して音声再生用電話番号を割り当てる（ステップＫ４０）。又、音声／メール対応管理部１９が、そのオリジナルメールの送信先のメールアドレスに基づいて、ユーザ情報管理部１５からその送信先の利用者の携帯電話機４０の電話番号を取得し、その電話番号と音声再生用電話番号とオリジナルメールとを互いに対応付けて、その対応付関係（対応付け情報）をメール対応情報ＤＢ２０に保存する（ステップＫ５０）。
また、メール加工部２１が、オリジナルメールからメール本文を取得するとともに、そのメール本文に音声再生用電話番号そのものを挿入することによって通知ウェブデータを作成して、ウェブアクセス処理部１３が、オリジナルメールの内容とともに音声再生用電話番号を通知ウェブページとして通信ネットワーク５０上に閲覧可能に開示して（ステップＫ６０）、処理を終了する。
次に、本発明の第７実施形態としての電子メールシステム１ｇにおける、送信先による携帯電話機４０を用いた音声データの再生に関する処理について説明する。
携帯電話機４０の利用者が、携帯電話機４０を用いて通知ウェブページを閲覧することによりオリジナルメールの内容を知るとともに、利用者が、その通知ウェブページにおいて音声再生用電話番号を選択することにより、ＰＨＯＮＥ  ＴＯ機能によって音声再生用電話番号に電話がかけられる。そして、この場合における音声／メール連携装置１０ｇにおける処理は、図１６に示した第５実施形態における処理とほぼ同様である。
このように、本発明の第７実施形態としての電子メールシステム１ｇによれば、第５実施形態と同様の作用効果を得ることができるほか、携帯電話機４０の利用者が通知ウェブページにアクセスすることによってオリジナルメールの内容を知ることができるので、その利用者が見たいときにオリジナルメールの内容を知ることができ、利便性が高い。
特に、例えば、利用者は電子メールの送受信はできないがウェブページを閲覧することができるような場合においても、オリジナルメールの内容を知ることが出来る。
（Ｈ）第８実施形態の説明
図１７に示すように、本発明の第８実施形態としての電子メールシステム１ｈも、第５〜第７実施形態の電子メールシステム１ｅ，１ｆ，１ｇと同様に、例えば、ＰＣ７０の利用者と携帯電話機４０の利用者との間で電子メールを送受信するためのものであって、第６実施形態の電子メールシステム１ｆとほぼ同様の構成をそなえている。
本第８実施形態の音声／メール連携装置１０ｈにおいても、第７実施形態と同様に、メール加工部２１が作成した通知電子メールやリプライ電子メールを、メール送受信部１１が電子メールとしてその送信先のメールアドレスに送信する代わりに、ウェブアクセス処理部１３がそれらの内容をウェブページ（ウェブメール）として表示するようになっている。
すなわち、本第８実施形態においては、ウェブアクセス処理部１３は、通信ネットワーク５０を介してアクセスしてきた携帯電話機４０が閲覧可能であって、少なくともＰＣ７０等から送信されたオリジナルメールのテキスト情報を含むウェブデータ（通知ウェブデータ）を作成するようになっている。
また、この通知ウェブデータには、電話番号管理部１８によって設定された音声再生用電話番号を携帯電話機４０に対して通知するために、ウェブアクセス処理部１３によって予め作成された、音声再生用電話番号を示すウェブページ（音声再生用電話番号通知ページ）にアクセスするためのポインタ（例えばＵＲＬやリンク等）が挿入されるようになっている。なお、以下、この通知ウェブデータによって構成されるウェブページを通知ウェブページという場合もある。
上述の如く構成された本発明の第８実施形態としての電子メールシステム１ｈにおいて、ＰＣ７０からオリジナルメールが送信先のメールアドレスに対して送信された場合には、この送信されたオリジナルメールに関する通知ウェブデータがメール加工部２１によって作成され、ウェブアクセス処理部１３によって通知ウェブページとして通信ネットワーク５０上に閲覧可能に掲示される。そして、この通知ウェブページを携帯電話機４０で閲覧した送信先の利用者は、そのオリジナルメールに関連付けられた音声データを携帯電話機４０から聞き出す。
先ず、本発明の第８実施形態としての電子メールシステム１ｈにおける、ＰＣ７０から送信されたオリジナルメールについての通知ウェブデータを作成する処理を、図２２に示すフローチャート（ステップＬ１０〜Ｌ６０）に従って説明する。
ＰＣ７０が送信先に対して、音声データを関連付けたオリジナルメールを送信すると、音声／メール連携装置１０ｇにおいて、先ず、メール送受信部１１がそのオリジナルメールを受信し（ステップＬ１０）、音声送受信判断部１７が、そのオリジナルメールに音声データが関連付けられているか否かを判断する（ステップＬ２０）。
ここで、オリジナルメールに音声データが関連付けられていない場合には（ステップＬ２０のＮＯルート参照）、メール加工部２１が、そのオリジナルメールの内容をウェブメール（通知ウェブデータ）として作成し、ウェブアクセス処理部１３が、通信ネットワーク５０上に閲覧可能に掲示して（ステップＬ６０）、処理を終了する。
一方、オリジナルメールに音声データが関連付けられている場合には（ステップＬ２０のＹＥＳルート参照）、先ず、音声情報取得部３０が、そのオリジナルメールに付加された音声データを取得して、音声データＤＢ２３に保存し、音声データ管理部２２に管理させる（ステップＬ３０）。
また、音声／メール対応管理部１９が、そのオリジナルメールの送信先のメールアドレスに基づいて、ユーザ情報管理部１５からその送信先の利用者の携帯電話機４０のデバイス番号を取得し、そのデバイス番号とオリジナルメールとを互いに対応付けて、その対応付関係（対応付け情報）をメール対応情報ＤＢ２０に保存する（ステップＬ４０）。
そして、メール加工部２１が、オリジナルメールからメール本文を取得するとともに、そのメール本文に音声再生用電話番号通知ページへアクセスするためのリンクタグを挿入することによって通知ウェブデータ（ウェブメール）を作成し、ウェブアクセス処理部１３が、この通知ウェブデータを通信ネットワーク５０上に閲覧可能に掲示して（ステップＬ５０）、処理を終了する。
次に、本発明の第８実施形態としての電子メールシステム１ｈにおける、送信先によって携帯電話機４０において行なわれる音声データの再生に関する処理について説明する。
携帯電話機４０の利用者が、携帯電話機４０を用いて通知ウェブページを閲覧することによりオリジナルメールの内容を知り、又、利用者が、その通知ウェブページにおいて、音声再生用電話番号通知ページへのリンクを選択することにより、音声再生用電話番号通知ページにアクセスする。そして、この場合における音声／メール連携装置１０ｈにおける処理は、図２０に示した第６実施形態における処理とほぼ同様である。
このように、本発明の第８実施形態としての電子メールシステム１ｈによっても、第７実施形態と同様の作用効果を得ることができる。
（Ｉ）第９実施形態の説明
上述した第２実施形態および第４実施形態の電子メールシステム１ｂ，１ｄにおいては、電話番号管理部１８が、利用者による音声入力用電話番号通知ページへのアクセスに応じて音声入力用電話番号を割り当てるとともに、音声／メール対応管理部１９が、その携帯電話機４０の電話番号（発信者番号），音声入力用電話番号，オリジナルメール等を対応付けて、その対応情報をメール対応情報ＤＢ２０に保存し、又、ウェブアクセス処理部１３が、音声入力用電話番号通知ページに電話番号管理部１８が設定した音声入力用電話番号を表示させ、更に、利用者が、例えば音声入力用電話番号通知ページにおいてその音声入力用電話番号を選択することにより、携帯電話機４０のＰＨＯＮＥ  ＴＯ機能によって音声入力用電話番号に電話をかけ、音声送受信部１４がその電話を受けるようになっているが（図１０のステップＤ３０〜Ｄ６０）、それに限定されるものではない。
図２３は本発明の第９実施形態としての電子メールシステム１ｂ，１ｄの構成を示すブロック図である。図２３に示すように、本第９実施形態の電子メールシステム１ｉにおける音声／メール連携装置１０ｉは、図７に示す音声／メール連携装置１０ｂの発信者番号取得部２５，電話番号判断部２６および選択部２７に代えて、アクセス判断部２８および電話発信部２９をそなえて構成されている。
アクセス判断部２８は、通信ネットワーク５０上に閲覧可能に設置されている通知ウェブページ（通知ウェブデータ）に対して、携帯電話機４０によるアクセスがあったか否かを判断するものであって、かかるアクセスがあった場合にその旨を電話発信部２９に通知するようになっている。又、このアクセス判断部２８は、通知ウェブページにアクセスしてきた携帯電話機４０のデバイス番号等を取得するようになっている。
電話発信部２９は、アクセス判断部２８によって、通知ウェブページにアクセスがあったと判断された場合に、そのアクセスを行なった携帯電話機４０に対して電話をかけるものである。具体的には、この電話発信部２９は、アクセス判断部２８によって取得されたデバイス番号に基づいて、ユーザ情報管理部１５によりその携帯電話機４０の利用者を特定して、その携帯電話機４０の電話番号（発信者番号）を取得し、その電話番号に電話をかけるようになっている。
上述の如く構成された本発明の第９実施形態としての電子メールシステム１ｉにおける、送信先によって携帯電話機４０からの音声入力で行なわれる返答に関する処理を、図２４に示すフローチャート（ステップＤ１０，Ｄ２０，Ｍ３０，Ｄ７０〜Ｄ１００）に従って説明する。なお、図中、既述の符号と同一の符号を付したステップは同一もしくは略同一のステップを示しているので、その説明は省略する。
電話発信部２９は、アクセス判断部２８によって、通知ウェブページに携帯電話機４０によるアクセスがあったと判断された場合に、アクセス判断部２８によって取得されたデバイス番号に基づいて、ユーザ情報管理部１５によりその携帯電話機４０の利用者を特定して、その携帯電話機４０の電話番号（発信者番号）を取得し、その電話番号に電話をかける（ステップＭ３０）。
このように、本発明の第９実施形態の電子メールシステム１ｉにおいては、利用者から音声入力用電話番号に電話をかける必要がないので利便性が高く、又、予め用意する音声入力用電話番号が少なくて済むので経済的である。
（Ｊ）第１０実施形態の説明
上述した第６実施形態および第８実施形態の電子メールシステム１ｆ，１ｈにおいても、電話番号管理部１８が、利用者による音声再生用電話番号通知ページへのアクセスに応じて音声再生用電話番号を割り当てるとともに、音声／メール対応管理部１９が、その携帯電話機４０の電話番号（発信者番号），音声再生用電話番号，オリジナルメール等を対応付けて、その対応情報をメール対応情報ＤＢ２０に保存し、又、ウェブアクセス処理部１３が、音声再生用電話番号通知ページに電話番号管理部１８が設定した音声再生用電話番号を表示させ、更に、利用者が、例えば音声再生用電話番号通知ページにおいてその音声再生用電話番号を選択することにより、携帯電話機４０のＰＨＯＮＥ  ＴＯ機能によって音声再生用電話番号に電話をかけ、音声送受信部１４がその電話を受けるようになっているが（図２０のステップＪ３０〜Ｊ６０）、それに限定されるものではない。
図２５は本発明の、第１０実施形態としての電子メールシステムの構成を示すブロック図であり、この図２５に示すように、本第１０実施形態の電子メールシステム１ｊにおける音声／メール連携装置１０ｊは、図１７に示す音声／メール連携装置１０ｆの発信者番号取得部２５，電話番号判断部２６および選択部２７に代えて、アクセス判断部２８および電話発信部２９をそなえて構成されている。なお、図中、既述の符号と同一の符号は同一もしくは略同一の部分を示しているので、その説明は省略する。
上述の如く構成された本発明の第１０実施形態としての電子メールシステム１ｊにおける、送信先によって携帯電話機４０からの音声入力で行なわれる返答に関する処理を、図２６に示すフローチャート（ステップＪ１０，Ｊ２０，Ｎ３０，Ｊ７０，Ｊ８０）に従って説明する。なお、図中、既述の符号と同一の符号を付したステップは同一もしくは略同一のステップを示しているので、その説明は省略する。
電話発信部２９は、アクセス判断部２８によって、アクセスがあったと判断された場合に、アクセス判断部２８によって取得されたデバイス番号に基づいて、ユーザ情報管理部１５によりその携帯電話機４０の利用者を特定して、その携帯電話機４０の電話番号（発信者番号）を取得し、その電話番号に電話をかける（ステップＮ３０）。
このように、本発明の第１０実施形態の電子メールシステム１ｊにおいても、利用者から音声再生用電話番号に電話をかける必要がないので利便性が高く、又、予め用意する音声再生用電話番号が少なくて済むので経済的である。
（Ｋ）第１１実施形態の説明
図２７は本発明の第１１実施形態としての電子メールシステムの構成を示すブロック図であり、本第１１実施形態の電子メールシステム１ｋは、図２７に示すように、第１実施形態の電子メールシステム１ａにおける音声／メール連携装置１０ａに代えて、音声／メール連携装置１０ｋをそなえて構成されている。
そして、この音声／メール連携装置１０ｋは、第１実施形態の音声／メール連携装置１０ａに識別情報設定部３２をそなえて構成されている。なお、図中、既述の符号と同一の符号は同一もしくは略同一の部分を示しているので、その詳細な説明は省略する。
識別情報設定部３２は、オリジナルメール（電子メール）が複数ある場合に、これらの各オリジナルメールに対して、オリジナルメールを特定するためのオリジナルメールＩＤ（識別情報）を設定するものである。
このオリジナルメールＩＤは、英数文字や記号等の組み合わせによって作成される識別子であって、オリジナルメール毎に異なるものが設定されるようになっている。
そして、識別情報設定部３２は、例えば、メール送信部１１によってオリジナルメールを受信する度にそのオリジナルメールに対してオリジナルメールＩＤを設定するようになっている。
また、メール加工部２１は、通知電子メールや通知ウェブデータを作成するに際して、電話番号管理部１８によって設定された音声入力用電話番号とともに、識別情報設定部３２によって設定されたオリジナルメールＩＤを、その通知電子メールに挿入するようになっている。
さらに、音声／メール対応管理部１９は、オリジナルメールに対応させて、オリジナルメールＩＤもメール対応ＤＢ２０に管理するようになっている。
また、本第１１実施形態の音声／メール連携装置１０ｋにおいては、携帯電話機４０の利用者がオリジナルメールに対して音声による返答を行なう際に、音声／メール対応管理部１９が、通話に用いられた音声入力用電話番号もしくは発信者番号に対応付けられたオリジナルメールがいくつあるかについて、メール対応情報ＤＢ２０を調べるようになっている。そして、対応するオリジナルメールが複数ある場合には、音声ガイド部２４が、返答を行なう対象となるオリジナルメールを識別するためのオリジナルメールＩＤを利用者に入力させるべく、音声によるガイダンスを行なうようになっている。
携帯電話機４０の利用者は、このガイダンスに応じてオリジナルメールＩＤを携帯電話機４０のダイヤルボタン（識別情報入力部）４３から入力する。
なお、本第１１実施形態においては、電話番号管理部１８は、オリジナルメール毎に異なる音声入力用電話番号を設定するものではなく、複数のオリジナルメールに対して同じ音声入力用電話番号を設定するようになっている。
本発明の第１１実施形態としての電子メールシステム１ｋにおける、送信先によって携帯電話機４０からの音声入力で行なわれる返答に関する処理を、図２８に示すフローチャート（ステップＰ１０〜Ｐ９０）に従って説明する。
オリジナルメールを受信した利用者が、例えば、その通知電子メールにおいてＰＨＯＮＥ  ＴＯ機能を用いて、メール本文中に表示された音声入力用電話番号を選択することにより、その電話番号に電話をかけ、音声／メール連携装置１０ｋは、携帯電話機４０からかけられた電話を受ける（ステップＰ１０）。
音声／メール対応管理部１９は、メール対応情報ＤＢ２０においてかかる電話番号（音声入力用電話番号もしくは発信者番号）に対応付けられたオリジナルメールを検索し（ステップＰ２０）、対応するオリジナルメールが登録されているか否かを判断する（ステップＰ３０）。ここで、これらの電話番号に対応するオリジナルメールがメール対応情報ＤＢ２０に登録されていない場合には（ステップＰ３０のＮＯルート参照）、音声ガイド部２４が、対応するオリジナルメールが無い旨を音声によって通知して（ステップＰ９０）、処理を終了する。
一方、対応するオリジナルメールがメール対応情報ＤＢ２０に登録されている場合には（ステップＰ３０のＹＥＳルート参照）、次に、音声／メール対応管理部１９は、メール対応ＤＢ２０において、対応するオリジナルメールが複数あるか否かを判断する（ステップＰ４０）。対応するオリジナルメールが複数ある場合には（ステップＰ４０のＹＥＳルート参照）、音声ガイド部２４は、利用者に対して、返答を行なうオリジナルメールを特定するためのオリジナルメールＩＤを入力させるべく音声によるガイダンスを行なう（ステップＰ５０）。
そして、利用者は、この音声ガイド部２４によるガイダンスに従ってオリジナルメールＩＤを入力することにより、返答を行なうオリジナルメールを選択し（ステップＰ６０）、メール加工部２１は、選択されたオリジナルメールに対するリプライ電子メールを作成する（ステップＰ７０）。なお、オリジナルメールが１つしかない場合には（ステップＰ４０のＮＯルート参照）、そのままステップＰ７０に移行する。
メール送受信部１１は、作成されたリプライ電子メールをオリジナルメールの送信元に送信して（ステップＰ８０）、処理を終了する。
このように、本発明の第１１実施形態の電子メールシステム１ｋにおいては、識別情報設定部３２により、オリジナルメール毎にオリジナルメールを特定するためのオリジナルメールＩＤを設定し、携帯電話機４０の利用者がオリジナルメールに対して音声によって返答を行なう場合に、その返答を行なうオリジナルメールのオリジナルメールＩＤを入力することにより、オリジナルメールと返答とを容易に対応付けることができる。
また、これにより、電話番号管理部１８によって、オリジナルメール毎に音声入力用電話番号を設定する必要がなく、本電子メールシステム１ｋの運用に際して、使用する電話番号を少なくすることができ経済的であるとともに、多くのユーザが同時に本電子メールシステム１ｋを使用することができ利便性が高い。
なお、上述した第３実施形態の電子メールシステム１ｃにおいても、本第１１実施形態の電子メールシステム１ｋと同様に、音声／メール連携装置１０ｃに識別情報設定部３２をそなえ、メール加工部２１やウェブアクセス処理部１３が通知ウェブデータに音声入力用電話番号とともにオリジナルメールＩＤを表示させてもよく、これにより、本第１１実施形態と同様の作用効果を得ることができる。
（Ｌ）第１２実施形態の説明
図２９は本発明の第１２実施形態としての電子メールシステムの構成を示すブロック図であり、この図２９に示すように、本第１２実施形態の電子メールシステム１１は、第２実施形態および第４実施形態の電子メールシステム１ｂ，１ｄにおける音声／メール連携装置１０ｂ，１０ｄに代えて、音声／メール連携装置１０１をそなえて構成されている。なお、図中、既述の符号と同一の符号は同一もしくは略同一の部分を示しているので、その説明は省略する。
音声／メール連携装置１０１は、第２実施形態および第４実施形態の音声／メール連携装置１０ｂ，１０ｄに識別情報設定部３２をそなえている。
メール加工部２１およびウェブアクセス処理部１３は、音声入力用電話番号を示すウェブページ（音声入力用電話番号通知ページ）に、識別情報設定部３２によって設定されたオリジナルメールＩＤを表示させるようになっている。又、ウェブアクセス処理部１３は、携帯電話機４０からの通話に用いられた電話番号（音声入力用電話番号もしくは発信者番号）に対応付けられたオリジナルメールが複数ある場合には、利用者が返答を行なうオリジナルメールを特定するために、オリジナルメールＩＤを入力させるガイダンスを行なうようになっている。
携帯電話機４０の利用者は、このウェブアクセス処理部１３によるガイダンスに応じて、オリジナルメールＩＤを携帯電話機４０のダイヤルボタン（識別情報入力部）４３から入力する。
なお、かかるオリジナルメールＩＤを選択させるための手法として、対応するオリジナルメールの一覧やその内容を示し、利用者が、その一覧の中から任意のオリジナルメールを選択できるようにしてもよく、又、オリジナルメールＩＤを直接入力できるようにしてもよい。
また、ウェブアクセス処理部１３は、音声／メール対応管理部１９によるメール対応情報ＤＢ２０の検索の結果、音声入力用電話番号もしくは発信者番号に対応付けられたオリジナルメールが無い場合には、その旨のメッセージを示すウェブページを表示させるようになっている。
本発明の第１２実施形態としての電子メールシステム１ｌにおける、送信先によって携帯電話機４０からの音声入力で行なわれる返答に関する処理を、図３０に示すフローチャート（ステップＱ１０〜Ｑ８０）に従って説明する。
オリジナルメールを受信した利用者が、例えば、その通知電子メールにおいてＰＨＯＮＥ  ＴＯ機能を用いて、メール本文中に表示された音声入力用電話番号を選択することにより、その電話番号に電話をかける。これにより、音声／メール連携装置１０ｌは、携帯電話機４０からかけられた電話を受ける（ステップＱ１０）。
音声／メール対応管理部１９は、メール対応情報ＤＢ２０において音声入力用電話番号もしくは発信者番号に対応付けられたオリジナルメールを検索し（ステップＱ２０）、対応するオリジナルメールが登録されているか否かを判断する（ステップＱ３０）。ここで、対応するオリジナルメールがメール対応情報ＤＢ２０に登録されていない場合には（ステップＱ３０のＮＯルート参照）、ウェブアクセス処理部１３が、対応するオリジナルメールが無い旨を示すウェブページを表示して（ステップＱ８０）、処理を終了する。
一方、その音声入力用電話番号もしくは発信者番号に対応付けられたオリジナルメールがメール対応情報ＤＢ２０に登録されている場合には（ステップＱ３０のＹＥＳルート参照）、次に、音声／メール対応管理部１９は、メール対応ＤＢ２０において、対応するオリジナルメールが複数あるか否かを判断する（ステップＱ４０）。対応するオリジナルメールが複数ある場合には（ステップＱ４０のＹＥＳルート参照）、ウェブアクセス処理部１３は、利用者に対して、返答を行なうオリジナルメールを特定するオリジナルメールＩＤを入力させるためのウェブページを表示させ（ステップＱ５０）、利用者は、このウェブページにおいてオリジナルメールＩＤを入力することにより、返答を行なうオリジナルメールを選択する。
音声／メール対応管理部１９は、選択されたオリジナルメールに関する情報をメール対応情報ＤＢ２０等から取得し（ステップＱ６０）、メール加工部２１は、そのオリジナルメールに対するリプライ電子メールを作成し、メール送受信部１１は、作成されたリプライ電子メールをオリジナルメールの送信元に送信して（ステップＱ７０）、処理を終了する。
なお、対応するオリジナルメールが１つしかない場合には（ステップＱ４０のＮＯルート参照）、そのままステップＱ６０に移行する。
このように、本発明の第１２実施形態の電子メールシステム１ｌによっても、第１１実施形態と同様の作用効果を得ることができる。
（Ｍ）第１３実施形態の説明
図３１は本発明の第１３実施形態としての電子メールシステムの構成を示すブロック図であり、この図３１に示すように、本第１３実施形態の電子メールシステム１ｍは、第５実施形態の電子メールシステム１ｅにおける音声／メール連携装置１０ｅに代えて、音声／メール連携装置１０ｍをそなえて構成されている。
そして、この音声／メール連携装置１０ｍは、第１実施形態の音声／メール連携装置１０ｅに識別情報設定部３２をそなえて構成されている。なお、図中、既述の符号と同一の符号は同一もしくは略同一の部分を示しているので、その詳細な説明は省略する。
本第１３実施形態の音声／メール連携装置１０ｍにおいては、携帯電話機４０の利用者がオリジナルメールに関連付けられた音声データを聞き出す際に、音声／メール対応管理部１９が、携帯電話機４０からの通話に用いられた電話番号（音声再生用電話番号もしくは発信者番号）に対応付けられたオリジナルメールがいくつあるかについて、メール対応情報ＤＢを調べるようになっている。そして、対応するオリジナルメールが複数ある場合には、音声ガイド部２４が、音声データの聞き出し（再生）を行なうオリジナルメールを識別するためのオリジナルメールＩＤを利用者に入力させるべく、音声によるガイダンスを行なうようになっている。
なお、本第１３実施形態においても、第１１実施形態と同様に、電話番号管理部１８は、オリジナルメール毎に音声再生用電話番号を設定するものではなく、複数のオリジナルメールに対して同じ音声再生用電話番号を設定するようになっている。
本発明の第１３実施形態としての電子メールシステム１ｍにおける、送信先によって携帯電話機４０において行なわれる音声データの再生に関する処理を、図３２に示すフローチャート（ステップＲ１０〜Ｒ８０）に従って説明する。
オリジナルメールを受信した利用者が、例えば、その通知電子メールにおいてＰＨＯＮＥ  ＴＯ機能を用いて、メール本文中に表示された音声再生用電話番号を選択することにより、その電話番号に電話をかけ、音声／メール連携装置１０ｍは、携帯電話機４０からかけられた電話を受ける（ステップＲ１０）。
音声／メール対応管理部１９は、メール対応情報ＤＢ２０において、通話に用いられた電話番号（音声再生用電話番号もしくは発信者番号）に対応付けられたオリジナルメールを検索し（ステップＲ２０）、これらの電話番号に関連するオリジナルメールが登録されているか否かを判断する（ステップＲ３０）。ここで、関連するオリジナルメールがメール対応情報ＤＢ２０に登録されていない場合には（ステップＲ３０のＮＯルート参照）、音声ガイド部２４が、対応するオリジナルメールが無い旨を音声によって通知して（ステップＲ８０）、処理を終了する。
一方、対応するオリジナルメールがメール対応情報ＤＢ２０に登録されている場合には（ステップＲ３０のＹＥＳルート参照）、次に、音声／メール対応管理部１９は、メール対応ＤＢ２０において、対応するオリジナルメールが複数あるか否かを判断する（ステップＲ４０）。対応するオリジナルメールが複数ある場合には（ステップＲ４０のＹＥＳルート参照）、音声ガイド部２４は、利用者に対して、音声データを聞き出す（再生する）オリジナルメールを特定するためのオリジナルメールＩＤを入力させるべく音声によるガイダンスを行なう（ステップＲ５０）。
そして、利用者は、この音声ガイド部２４によるガイダンスに従ってオリジナルメールＩＤを入力することにより、音声データを聞き出すオリジナルメールを選択し（ステップＲ６０）、音声情報再生部３１は、選択されたオリジナルメールに関連付けられた音声データを音声データＤＢ２３から取得して再生し、その再生データを、音声送受信部１４が、音声通信路６０を介して携帯電話機４０に送信して（ステップＲ７０）、処理を終了する。
このように、本発明の第１３実施形態の電子メールシステム１ｍにおいては、識別情報設定部３２により、オリジナルメール毎にオリジナルメールを特定するためのオリジナルメールＩＤを設定し、携帯電話機４０の利用者がオリジナルメールに関連付けられた音声データを聞き出す（再生する）場合に、その再生を行なうオリジナルメールのオリジナルメールＩＤを入力することにより、オリジナルメールを容易に選択することができる。
また、これにより、電話番号管理部１８によって、オリジナルメール毎に音声入力用電話番号を設定する必要がなく、本第１３実施形態の電子メールシステム１ｍの運用に際して、使用する電話番号を少なくすることができ、経済的である。
なお、上述した第７実施形態の電子メールシステム１ｇにおいても、本第１３実施形態の電子メールシステム１ｍと同様に、音声／メール連携装置１０ｇに識別情報設定部３２をそなえ、メール加工部２１やウェブアクセス処理部１３が通知ウェブデータに音声再生用電話番号とともにオリジナルメールＩＤを表示させてもよく、これにより、本第１３実施形態と同様の作用効果を得ることができる。
（Ｎ）第１４実施形態の説明
図３３は本発明の第１４実施形態としての電子メールシステムの構成を示すブロック図であり、図３３に示すように、本第１４実施形態の電子メールシステム１ｎは、第１０実施形態の電子メールシステム１ｊにおける音声／メール連携装置１０ｊに代えて、音声／メール連携装置１０ｎをそなえて構成されている。
そして、この音声／メール連携装置１０ｎは、第６実施形態の音声／メール連携装置１０ｊに識別情報設定部３２をそなえて構成されている。なお、図中、既述の符号と同一の符号は同一もしくは略同一の部分を示しているので、その詳細な説明は省略する。
本第１４実施形態の音声／メール連携装置１０ｎにおいても、メール加工部２１やウェブアクセス処理部１３は、音声再生用電話番号を示すウェブページ（音声再生用電話番号通知ページ）に、識別情報設定部３２によって設定されたオリジナルメールＩＤを表示させるようになっている。
また、本第１４実施形態の音声／メール連携装置１０ｎにおいては、携帯電話機４０の利用者がオリジナルメールに関連付けられた音声データを聞き出す（再生する）際に、音声／メール対応管理部１９が、携帯電話機４０からの通話に用いられた電話番号（音声再生用電話番号もしくは発信者番号）に対応付けられたオリジナルメールがいくつあるかについて、メール対応情報ＤＢ２０を調べるようになっている。
そして、ウェブアクセス処理部１３は、携帯電話機４０からの通話に用いられた電話番号（音声再生用電話番号もしくは発信者番号）に対応付けられたオリジナルメールが複数ある場合には、再生する音声データが関連付けられたオリジナルメールを特定するために、利用者にオリジナルメールＩＤを入力させるようになっている。
なお、かかるオリジナルメールＩＤを利用者に入力させるための手法として、対応するオリジナルメールの一覧やその内容を示し、利用者が、その一覧の中から任意のオリジナルメールを選択できるようにしてもよく、又、オリジナルメールＩＤを直接入力できるようにしてもよい。
また、ウェブアクセス処理部１３は、音声／メール対応管理部１９によるメール対応情報ＤＢ２０の検索の結果、音声再生用電話番号もしくは発信者番号に対応付けられたオリジナルメールが無い場合には、その旨のメッセージを示すウェブページを表示させるようになっている。
なお、本第１４実施形態においても、第１１実施形態と同様に、電話番号管理部１８は、オリジナルメール毎に音声再生用電話番号を設定するものではなく、複数のオリジナルメールに対して同じ音声再生用電話番号を設定するようになっている。
本発明の第１４実施形態としての電子メールシステム１ｎにおける、送信先によって携帯電話機４０において行なわれる音声データの再生に関する処理を、図３４に示すフローチャート（ステップＳ１０〜Ｓ８０）に従って説明する。
オリジナルメールを受信した利用者が、例えば、その通知電子メールにおいてメール本文中に挿入された音声再生用ウェブページにアクセスするためのポインタを選択したり、通知ウェブデータに挿入された音声再生用ウェブページにアクセスするためのポインタを選択したりすることにより、ＷＥＢ  ＴＯ機能によって、携帯電話機４０で音声再生用ウェブページにアクセスする。アクセス判断部２８は、携帯電話機４０からの音声再生用ウェブページに対するウェブアクセスを受信する（ステップＳ１０）。
アクセス判断部２８は、音声再生用ウェブページへのアクセスに用いられた携帯電話機４０のデバイス番号を取得し、メール対応情報ＤＢ２０において、このデバイス番号に対応付けられたオリジナルメールを検索して（ステップＳ２０）、このデバイス番号に関連するオリジナルメールが登録されているか否かを判断する（ステップＳ３０）。ここで、関連するオリジナルメールがメール対応情報ＤＢ２０に登録されていない場合には（ステップＳ３０のＮＯルート参照）、ウェブアクセス処理部１３が、対応するオリジナルメール（もしくは音声データ）が無い旨を示すウェブページを表示させて（ステップＳ８０）、処理を終了する。
一方、対応するオリジナルメールがメール対応情報ＤＢ２０に登録されている場合には（ステップＳ３０のＹＥＳルート参照）、次に、音声／メール対応管理部１９は、メール対応ＤＢ２０において、対応するオリジナルメールが複数あるか否かを判断する（ステップＳ４０）。対応するオリジナルメールが複数ある場合には（ステップＳ４０のＹＥＳルート参照）、ウェブアクセス処理部１３は、利用者に対して、再生を行なう音声データが関連付けられたオリジナルメールを特定するオリジナルメールＩＤを入力させるためのウェブページを表示させる（ステップＳ５０）。利用者は、このウェブページにおいてオリジナルメールＩＤを入力することにより、再生を行なう音声データが関連付けられたオリジナルメールを選択する。
ここで、電話発信部２９は、アクセス判断部２８によって取得されたデバイス番号に基づいて、ユーザ情報管理部１５によりその携帯電話機４０の利用者を特定して、その携帯電話機４０の電話番号（発信者番号）を取得し、その電話番号に電話をかけて電話呼を確立する。
そして、音声情報再生部３１が、選択されたオリジナルメールに対応する音声データを音声データＤＢ２３から取得して再生し、その再生データを音声送受信部１４が、音声通信路６０を介して携帯電話機４０に送信して（ステップＳ７０）、処理を終了する。
なお、対応するオリジナルメールが１つしかない場合には（ステップＳ４０のＮＯルート参照）、そのままステップＳ６０に移行する。
このように、本発明の第１４実施形態の電子メールシステム１ｎによっても、第１３実施形態と同様の作用効果を得ることができる。
（Ｏ）その他
上述した各実施形態においては、情報処理装置のＣＰＵ（Ｃｅｎｔｒａｌ  Ｐｒｏｃｅｓｓｉｎｇ  Ｕｎｉｔ）が、コンピュータ読取可能な記録媒体（例えば、メモリ，磁気記憶装置，フロッピーディスク，メモリカード，光磁気記憶装置，ＣＤ−ＲＯＭ，ＣＤ−Ｒ，ＣＤ−ＲＷ，ＤＶＤ，ＤＶＤ−Ｒ，ＤＶＤ−ＲＷ等）に格納されたプログラムを実行することにより、上述したメール送信部１１，ウェブアクセス処理部１３，音声／メール連携装置１０，送受信部１４，ユーザ情報管理部１５，音声送受信判断部１７，電話番号管理部１８，音声／メール対応管理部１９，メール加工部２１，音声データ管理部２２，音声ガイド部，発信者番号取得部２５，電話番号判断部２６，選択部２７，音声情報取得部３０，音声情報再生部３１および識別情報設定部３２として機能するようになっている。
また、本発明は上述した実施形態に限定されるものではなく、本発明の趣旨を逸脱しない範囲で種々変形して実施することができる。
例えば、図１，図７，図１３，図１７，図２３，図２５，図２７，図２９，図３１および図３３中においては、電子メールシステム１ａ，１ｂ，１ｃ，１ｄ，１ｅ，１ｆ，１ｇ，１ｈ，１ｉ，１ｊ，１ｋ，１ｌ，１ｍおよび１ｎは、それぞれ１つのＰＣ７０と１つの携帯電話機４０とをそなえているが、それに限定されるものではなく、２以上のＰＣをそなえてもよく、又、２以上の携帯電話機をそなえてもよい。
また、上述した各実施形態においては、電子メールシステム１が、ＰＣ（第１情報端末）７０と携帯電話機（第２情報端末）４０とをそなえて構成されているが、これに限定されるものではなく、ＰＣ７０に代えて携帯電話機４０をそなえてもよい。
さらに、上述した第１１〜第１４実施形態においては、オリジナルメール毎にオリジナルメールＩＤを設定することにより音声データを特定しているが、それに限定されるものではなく、例えば、音声データ毎に音声データを特定するための識別情報（音声データＩＤ）を設定してもよい。
また、上述した第１１および第１２実施形態においては、第９実施形態に示すように、発信者番号取得部２５，電話番号判断部２６および選択部２７に代えて、アクセス判断部２８および電話発信部２９をそなえ、アクセス判断部２８によって、携帯電話機４０による音声入力用電話番号通知ページへのアクセスを判断したときに電話発信部２９が、その携帯電話機４０に電話をしてもよい。
なお、本発明の各実施形態が開示されていれば、当業者によって製造することが可能である。
産業上の利用可能性
以上のように、本発明の電子メールシステム，電子メール送信方法，情報処理装置，電子メール管理プログラムおよび同プログラムを記録したコンピュータ読取可能な記録媒体は、例えば携帯電話を用いた電子メールシステムのように、音声情報と電子メール（テキスト情報）とをそれぞれ異なる方式で送受信するシステムにおいて、電子メール送受信を行なうのに有用であり、特に音声情報の取り扱いに適している。
【図面の簡単な説明】
図１は本発明の第１実施形態としての電子メールシステムの構成を示すブロック図である。
図２は本発明の第１実施形態としての電子メールシステムにおける音声／メール連携装置を企業等のイントラネット内に設置した例を示す図である。
図３は本発明の第１実施形態としての電子メールシステムにおける音声／メール連携装置を移動キャリア内に設置した例を示す図である。
図４は本発明の第１実施形態としての電子メールシステムにおけるメール加工部によって作成された通知電子メールを携帯電話機の表示部に表示した例を示す図である。
図５は本発明の第１実施形態としての電子メールシステムにおける、ＰＣから送信されたオリジナルメールについて、通知電子メールを携帯電話機に転送する際における処理を説明するためのフローチャートである。
図６は本発明の第１実施形態としての電子メールシステムにおける、送信先によって携帯電話機からの音声入力で行なわれる返答に関する処理を説明するためのフローチャートである。
図７は本発明の第２〜第４実施形態としての電子メールシステムの構成を示すブロック図である。
図８は本発明の第２実施形態としての電子メールシステムにおけるメール加工部によって作成された通知電子メールを携帯電話機の表示部に表示した例を示す図である
図９は本発明の第２実施形態としての電子メールシステムにおける、ＰＣから送信されたオリジナルメールについて、通知電子メールを携帯電話機に転送する際における処理を説明するためのフローチャートである。
図１０は本発明の第２実施形態としての電子メールシステムにおける、送信先によって携帯電話機からの音声入力で行なわれる返答に関する処理を説明するためのフローチャートである。
図１１は本発明の第３実施形態としての電子メールシステムにおける、ＰＣから送信されたオリジナルメールについて、通知電子メールを携帯電話機に転送する際における処理を説明するためのフローチャートである。
図１２は本発明の第４実施形態としての電子メールシステムにおける、ＰＣから送信されたオリジナルメールについての通知ウェブデータを作成する処理を説明するためのフローチャートである。
図１３は本発明の第５実施形態としての電子メールシステムの構成を示すブロック図である。
図１４は本発明の第５実施形態としての電子メールシステムにおけるメール加工部によって作成された通知電子メールを携帯電話機の表示部に表示した例を示す図である。
図１５は本発明の第５実施形態としての電子メールシステムにおける、ＰＣから送信されたオリジナルメールについて、通知電子メールを携帯電話機に転送する際における処理を説明するためのフローチャートである。
図１６は本発明の第５実施形態としての電子メールシステムにおける、送信先によって携帯電話機において行なわれる音声データの再生に関する処理を説明するためのフローチャートである。
図１７は本発明の第６〜第８実施形態としての電子メールシステムの構成を示すブロック図である。
図１８は本発明の第６実施形態としての電子メールシステムにおけるメール加工部によって作成された通知電子メールを携帯電話機の表示部に表示した例を示す図である。
図１９は本発明の第６実施形態としての電子メールシステムにおける、ＰＣから送信されたオリジナルメールについて、通知電子メールを携帯電話機に転送する際における処理を説明するためのフローチャートである。
図２０は本発明の第６実施形態としての電子メールシステムにおける、送信先が携帯電話機から音声データを行き出す際の処理を説明するためのフローチャートである。
図２１は本発明の第７実施形態としての電子メールシステムにおける、ＰＣから送信されたオリジナルメールについての通知ウェブデータを作成する処理を説明するためのフローチャートである。
図２２は本発明の第８実施形態としての電子メールシステムにおける、ＰＣから送信されたオリジナルメールについての通知ウェブデータを作成する処理を説明するためのフローチャートである。
図２３は本発明の第９実施形態としての電子メールシステムの構成を示すブロック図である。
図２４は本発明の第９実施形態としての電子メールシステムにおける、送信先によって携帯電話機からの音声入力で行なわれる返答に関する処理を説明するためのフローチャートである。
図２５は本発明の第１０実施形態としての電子メールシステムの構成を示すブロック図である。
図２６は本発明の第１０実施形態としての電子メールシステムにおける、送信先によって携帯電話機からの音声入力で行なわれる返答に関する処理を説明するためのフローチャートである。
図２７は本発明の第１１実施形態としての電子メールシステムの構成を示すブロック図である。
図２８は本発明の第１１実施形態としての電子メールシステムにおける、送信先によって携帯電話機からの音声入力で行なわれる返答に関する処理を説明するためのフローチャートである。
図２９は本発明の第１２実施形態としての電子メールシステムの構成を示すブロック図である。
図３０は本発明の第１２実施形態としての電子メールシステムにおける、送信先によって携帯電話機からの音声入力で行なわれる返答に関する処理を説明するためのフローチャートである。
図３１は本発明の第１３実施形態としての電子メールシステムの構成を示すブロック図である。
図３２は本発明の第１３実施形態としての電子メールシステムにおける、送信先によって携帯電話機において行なわれる音声データの再生に関する処理を説明するためのフローチャートである。
図３３は本発明の第１４実施形態としての電子メールシステムの構成を示すブロック図である。
図３４は本発明の第１４実施形態としての電子メールシステムにおける、送信先によって携帯電話機において行なわれる音声データの再生に関する処理を説明するためのフローチャートである。
【図１】
2003039123.tif 000003
【図２】
2003039123.tif 000004
【図３】
2003039123.tif 000005
【図４】
2003039123.tif 000006
【図５】
2003039123.tif 000007
【図６】
2003039123.tif 000008
【図７】
2003039123.tif 000009
【図８】
2003039123.tif 000010
【図９】
2003039123.tif 000011
【図１０】
2003039123.tif 000012
【図１１】
2003039123.tif 000013
【図１２】
2003039123.tif 000014
【図１３】
2003039123.tif 000015
【図１４】
2003039123.tif 000016
【図１５】
2003039123.tif 000017
【図１６】
2003039123.tif 000018
【図１７】
2003039123.tif 000019
【図１８】
2003039123.tif 000020
【図１９】
2003039123.tif 000021
【図２０】
2003039123.tif 000022
【図２１】
2003039123.tif 000023
【図２２】
2003039123.tif 000024
【図２３】
2003039123.tif 000025
【図２４】
2003039123.tif 000026
【図２５】
2003039123.tif 000027
【図２６】
2003039123.tif 000028
【図２７】
2003039123.tif 000029
【図２８】
2003039123.tif 000030
【図２９】
2003039123.tif 000031
【図３０】
2003039123.tif 000032
【図３１】
2003039123.tif 000033
【図３２】
2003039123.tif 000034
【図３３】
2003039123.tif 000035
【図３４】
2003039123.tif 000036
【国際調査報告】
2003039123.tif 000037
2003039123.tif 000038
2003039123.tif 000039
2003039123.tif 000040
2003039123.tif 000041
2003039123.tif 000042
2003039123.tif 000043